(57)【特許請求の範囲】
【請求項１】
硬貨を処理する硬貨処理部と紙幣を処理する紙幣処理部とが左右に並設された本体部と、
前記硬貨処理部の下方に配置されて、筐体部に対して引き出し可能に設けられた第１収納ドロアと、
前記紙幣処理部の下方に配置されて、筐体部に対して引き出し可能に設けられた第２収納ドロアとを備え、
前記第１収納ドロアは、該第１収納ドロアが前記筐体部に押し込まれた状態で前記硬貨処理部から繰り出される硬貨を収納する回収硬貨収納部を有し、
前記第２収納ドロアは、棒金を収納する棒金収納部を有し、
前記硬貨処理部は、
入金口と、
出金口と、
単一金種の硬貨を収納すると共に収納している硬貨を繰り出す金種別のスタッカと、
前記入金口に入れられた硬貨を前記スタッカに搬送する入金搬送部と、
前記入金搬送部で搬送される硬貨を識別する識別部と、
前記スタッカから繰り出された硬貨を前記出金口及び前記入金口に選択的に搬送する出金搬送部と、
前記出金搬送部で搬送される硬貨を収納可能であると共に収納している硬貨を前記出金搬送部に繰り出し可能な予備収納庫と、
前記予備収納庫から繰り出された硬貨を、前記出金搬送部及び前記回収硬貨収納部に選択的に搬送する振分搬送部とを有することを特徴とする貨幣処理装置。
【請求項２】
前記第１収納ドロア及び前記第２収納ドロアのうちの少なくともいずれか一方は、紙葉類を収納する紙葉類収納部、前記回収硬貨収納部とは別にバラ硬貨を収納するバラ硬貨収納部、及び、貨幣以外の収納物を収納する貨幣以外収納部のうちの少なくとも一つを有することを特徴とする請求項１に記載の貨幣処理装置。
【請求項３】
前記紙葉類収納部は、前記第１収納ドロア又は前記第２収納ドロアに固定されていることを特徴とする請求項２に記載の貨幣処理装置。
【請求項４】
前記第１収納ドロア及び前記第２収納ドロアのうちの少なくともいずれか一方は、前面に、前記筐体部に押し込まれた状態で、紙葉類を前記紙葉類収納部内に収納するスリット、バラ硬貨を前記バラ硬貨収納部内に収納するスリット、及び、貨幣以外の収納物を前記貨幣以外収納部内に収納するスリットのうちの少なくとも一つを有することを特徴とする請求項２又は３に記載の貨幣処理装置。
【請求項５】
前記回収硬貨収納部は、前記第１収納ドロアに着脱可能に設けられていることを特徴とする請求項１乃至４の何れか一項に記載の貨幣処理装置。
【発明の詳細な説明】
【技術分野】
【０００１】
本発明は、貨幣処理装置に関する。
【背景技術】
【０００２】
従来から、例えばＰＯＳレジ等の上位機に接続されて釣銭を自動的に払い出す釣銭機として用いられる貨幣処理装置がある。そして、貨幣処理装置の下側に、収納庫本体と、収納庫本体に対して引き出し可能な一つの収納ドロアとを有し、収納ドロア内に配置された収納トレーに棒金が収納可能な棒金保管庫を設けたものがある（例えば、特許文献１参照）。そして、例えば、貨幣処理装置内の硬貨が少なくなった（ニアエンド状態となった）場合には、操作者等が棒金を棒金保管庫から取り出し、その包装を解いてバラ硬貨にして貨幣処理装置に補充する。
【先行技術文献】
【特許文献】
【０００３】
【特許文献１】特開２００８−１９２０７９号公報
【発明の概要】
【発明が解決しようとする課題】
【０００４】
しかしながら、特許文献１のような従来の棒金保管庫は、一つの収納ドロアしか設けられておらず、棒金しか保管することができない。更に、仮に収納ドロア内に棒金に加えて紙葉類等の他の収納物を収納した場合には、収納ドロアが一つしかないので、例えば、棒金を取り出すために収納ドロアを引き出した際に、棒金と一緒に他の収納物まで外部に露出してしまうことから、収納物の管理の安全性の点で改善の余地があった。
【０００５】
したがって、本発明は、複数の収納物が収納可能でありながら、収納物の管理の安全性を高めることが可能な貨幣処理装置の提供を目的とする。
【課題を解決するための手段】
【０００６】
上記目的を達成するために、請求項１に係る発明は、硬貨を処理する硬貨処理部と紙幣を処理する紙幣処理部とが左右に並設された本体部と、前記硬貨処理部の下方に配置されて、筐体部に対して引き出し可能に設けられた第１収納ドロアと、前記紙幣処理部の下方に配置されて、筐体部に対して引き出し可能に設けられた第２収納ドロアとを備え、前記第１収納ドロアは、該第１収納ドロアが前記筐体部に押し込まれた状態で前記硬貨処理部から繰り出される硬貨を収納する回収硬貨収納部を有し、前記第２収納ドロアは、棒金を収納する棒金収納部を有し、前記硬貨処理部は、入金口と、出金口と、単一金種の硬貨を収納すると共に収納している硬貨を繰り出す金種別のスタッカと、前記入金口に入れられた硬貨を前記スタッカに搬送する入金搬送部と、前記入金搬送部で搬送される硬貨を識別する識別部と、前記スタッカから繰り出された硬貨を前記出金口及び前記入金口に選択的に搬送する出金搬送部と、前記出金搬送部で搬送される硬貨を収納可能であると共に収納している硬貨を前記出金搬送部に繰り出し可能な予備収納庫と、前記予備収納庫から繰り出された硬貨を、前記出金搬送部及び前記回収硬貨収納部に選択的に搬送する振分搬送部とを有することを特徴とする。
【０００７】
請求項２に係る発明は、請求項１に係る発明において、前記第１収納ドロア及び前記第２収納ドロアのうちの少なくともいずれか一方は、紙葉類を収納する紙葉類収納部、前記回収硬貨収納部とは別にバラ硬貨を収納するバラ硬貨収納部、及び、貨幣以外の収納物を収納する貨幣以外収納部のうちの少なくとも一つを有することを特徴とする。
【０００８】
請求項３に係る発明は、請求項２に係る発明において、前記紙葉類収納部は、前記第１収納ドロア又は前記第２収納ドロアに固定されていることを特徴とする。
【０００９】
請求項４に係る発明は、請求項２又は３に係る発明において、前記第１収納ドロア及び前記第２収納ドロアのうちの少なくともいずれか一方は、前面に、前記筐体部に押し込まれた状態で、紙葉類を前記紙葉類収納部内に収納するスリット、バラ硬貨を前記バラ硬貨収納部内に収納するスリット、及び、貨幣以外の収納物を前記貨幣以外収納部内に収納するスリットのうちの少なくとも一つを有することを特徴とする。
【００１１】
請求項５に係る発明は、請求項１乃至４の何れか一項に係る発明において、前記回収硬貨収納部は、前記第１収納ドロアに着脱可能に設けられていることを特徴とする。
【発明の効果】
【００１３】
請求項１に係る発明によれば、硬貨処理部の下方に配置された第１収納ドロアの回収硬貨収納部に、第１収納ドロアが筐体部に押し込まれた状態で硬貨処理部から繰り出される硬貨を収納する。また、紙幣処理部の下方に配置された第２収納ドロアの棒金収納部に棒金を収納する。よって、回収硬貨収納部へのアクセスのため第１収納ドロアが筐体部から引き出されても、第２収納ドロアの棒金収納部が外部に露出することがなく、逆に、棒金収納部へのアクセスのため第２収納ドロアが筐体部から引き出されても、第１収納ドロアの回収硬貨収納部が外部に露出することがない。したがって、回収硬貨と棒金とを収納可能でありながら、これらの管理の安全性を高めることが可能となる。また、硬貨処理部の下方に配置された第１収納ドロアに回収硬貨収納部を設けたため、第１収納ドロアが筐体部に押し込まれた状態での硬貨処理部から回収硬貨収納部への硬貨の搬送が容易となる。
【００１４】
請求項２に係る発明によれば、紙葉類収納部が第１収納ドロアに設けられている場合、紙葉類収納部又は回収硬貨収納部へのアクセスのため第１収納ドロアが筐体部から引き出されても、第２収納ドロアの棒金収納部が外部に露出することがなく、逆に、棒金収納部へのアクセスのため第２収納ドロアが筐体部から引き出されても、第１収納ドロアの紙葉類収納部及び回収硬貨収納部が外部に露出することがない。紙葉類収納部が第２収納ドロアに設けられている場合、回収硬貨収納部へのアクセスのため第１収納ドロアが筐体部から引き出されても、第２収納ドロアの紙葉類収納部及び棒金収納部が外部に露出することがなく、逆に、紙葉類収納部又は棒金収納部へのアクセスのため第２収納ドロアが筐体部から引き出されても、第１収納ドロアの回収硬貨収納部が外部に露出することがない。したがって、紙葉類と回収硬貨と棒金とを収納可能でありながら、これらの管理の安全性を高めることが可能となる。
また、バラ硬貨収納部が第１収納ドロアに設けられている場合、バラ硬貨収納部又は回収硬貨収納部へのアクセスのため第１収納ドロアが筐体部から引き出されても、第２収納ドロアの棒金収納部が外部に露出することがなく、逆に、棒金収納部へのアクセスのため第２収納ドロアが筐体部から引き出されても、第１収納ドロアのバラ硬貨収納部及び回収硬貨収納部が外部に露出することがない。バラ硬貨収納部が第２収納ドロアに設けられている場合、回収硬貨収納部へのアクセスのため第１収納ドロアが筐体部から引き出されても、第２収納ドロアのバラ硬貨収納部及び棒金収納部が外部に露出することがなく、逆に、バラ硬貨収納部又は棒金収納部へのアクセスのため第２収納ドロアが筐体部から引き出されても、第１収納ドロアの回収硬貨収納部が外部に露出することがない。したがって、バラ硬貨と回収硬貨と棒金とを収納可能でありながら、これらの管理の安全性を高めることが可能となる。
また、貨幣以外収納部が第１収納ドロアに設けられている場合、貨幣以外収納部又は回収硬貨収納部へのアクセスのため第１収納ドロアが筐体部から引き出されても、第２収納ドロアの棒金収納部が外部に露出することがなく、逆に、棒金収納部へのアクセスのため第２収納ドロアが筐体部から引き出されても、第１収納ドロアの貨幣以外収納部及び回収硬貨収納部が外部に露出することがない。貨幣以外収納部が第２収納ドロアに設けられている場合、回収硬貨収納部へのアクセスのため第１収納ドロアが筐体部から引き出されても、第２収納ドロアの貨幣以外収納部及び棒金収納部が外部に露出することがなく、逆に、貨幣以外収納部又は棒金収納部へのアクセスのため第２収納ドロアが筐体部から引き出されても、第１収納ドロアの回収硬貨収納部が外部に露出することがない。したがって、貨幣以外の収納物と回収硬貨と棒金とを収納可能でありながら、これらの管理の安全性を高めることが可能となる。
【００１５】
請求項３に係る発明によれば、紙葉類収納部は、第１収納ドロア又は第２収納ドロアに固定されているため、紙葉類収納部が固定先の第１収納ドロア又は第２収納ドロアから取り外されてしまうことを防止できる。したがって、紙葉類を一層安全に管理することが可能となる。
【００１８】
請求項５に係る発明によれば、回収硬貨収納部は、第１収納ドロアに着脱可能に設けられているため、硬貨処理部から繰り出され回収硬貨収納部に収納された硬貨を纏めて容易に取り出すことができる。
【図面の簡単な説明】
【００２０】
【図１】本発明の一実施形態に係る貨幣処理装置を示す斜視図である。
【図２】本発明の一実施形態に係る貨幣処理装置を含むＰＯＳレジシステムのブロック図である。
【図３】本発明の一実施形態に係る貨幣処理装置の硬貨処理部の内部構成を概略的に示す平面図である。
【図４】本発明の一実施形態に係る貨幣処理装置の硬貨処理部の内部構成を示す平面図である。
【図５】本発明の一実施形態に係る貨幣処理装置の硬貨処理部の内部構成を概略的に示す側面図であって、出金搬送部等を示すものである。
【図６】本発明の一実施形態に係る貨幣処理装置の硬貨処理部の内部構成を概略的に示す側面図であって、予備収納庫等を示すものである。
【図７】本発明の一実施形態に係る貨幣処理装置の紙幣処理部の内部構成を概略的に示す平面図である。
【図８】本発明の一実施形態に係る貨幣処理装置の補助収納庫を示す斜視図である。
【図９】本発明の一実施形態に係る貨幣処理装置の補助収納庫を示す筐体部の上板部を除いた平面図である。
【図１０】本発明の一実施形態に係る貨幣処理装置の第２補助収納部を示す筐体部の上板部を除いた斜視図である。
【発明を実施するための形態】
【００２１】
本発明に係る一実施形態の貨幣処理装置を図面を参照して以下に説明する。なお、以下の説明において、「前」は前後方向の前側つまり操作者から見て手前側であり、「後」は前後方向の後側つまり操作者から見て奥側であり、「左」は操作者から見て左側であり、「右」は操作者から見て右側である。
【００２２】
図１に示す本実施形態の貨幣処理装置１は、貨幣である硬貨及び貨幣である紙幣の入出金処理を含む各種処理を行う本体部２と、本体部２とは別体であって貨幣を収納する補助収納庫３とを有している。補助収納庫３の上に本体部２が載置されて貨幣処理装置１を構成している。本体部２及び補助収納庫３は必要により連結されて一体化されている。貨幣処理装置１には、右側に硬貨の各種処理を行う硬貨処理部５が、左側に紙幣の各種処理を行う紙幣処理部６が設けられている。つまり、貨幣処理装置１は、その本体部２が、硬貨を処理する硬貨処理部５と紙幣を処理する紙幣処理部６とが左右に水平に並設されて構成されている。ここで、本体部２を構成する硬貨処理部５と紙幣処理部６とは別体であり、互いに当接状態に並設されて本体部２となる。硬貨処理部５及び紙幣処理部６は必要により連結されて一体化されている。硬貨処理部５は、紙幣処理部６よりも左右方向の幅が広くなっている。
【００２３】
貨幣処理装置１の上には、貨幣処理装置１の上位機となるＰＯＳレジ１１が設置されることになり、貨幣処理装置１は、ＰＯＳレジ１１に接続されて売上金の入金及び釣銭の出金等を行うものである。貨幣処理装置１及びＰＯＳレジ１１は必要により連結されて一体化されている。
【００２４】
図２に示すように、ＰＯＳレジ１１は、操作者により操作入力がなされる入力操作部１２と、操作者に対して表示を行う入力表示部１３と、商品のバーコードを読み取るバーコード読取部１４と、ＩＤカードが走査されるとＩＤ情報を読み取るカード読取部１５と、商品の料金を表示させる料金表示部１６と、用紙に印字してレシートを発行するレシート印字部１７とを有している。ＰＯＳレジ１１は、これらと貨幣処理装置１とを制御する制御部１８を有している。
【００２５】
図１に示すように、貨幣処理装置１の上面２０の操作者と対向する前面２１側の右側には、硬貨処理部５の位置に、入金処理時に装置外から硬貨が投入される上方開口のホッパからなる硬貨入金口２２（入金口）が設けられている。硬貨入金口２２は、複数金種が混在する金種混合状態で硬貨が装置外から一括投入可能であり、このように入れられた硬貨を貯留しつつ一枚ずつ分離して装置内に繰り出す。貨幣処理装置１の上面２０における硬貨入金口２２の左側には、硬貨処理部５の位置に、操作者による操作入力が入力されると共に操作者に対して表示を行う操作表示部２３が設けられている。
【００２６】
また、硬貨処理部５には、前面２１側に、硬貨入金口２２に投入されたものの受け入れ不可と識別された受入不可硬貨を装置外に取り出し可能に貯留する硬貨リジェクト口２４と、硬貨の放出関連処理時に装置内から放出される硬貨を受け取って装置外に取り出し可能に貯留する硬貨出金口２５（出金口）とが設けられている。硬貨リジェクト口２４と硬貨出金口２５とは、前面２１よりも前方に突出しており、上方開口の受け皿状をなしている。硬貨リジェクト口２４と硬貨出金口２５とは、貨幣処理装置１の前部において左右方向に並設されている。以上により、硬貨処理部５を含む本体部２は、硬貨入金口２２と硬貨リジェクト口２４と硬貨出金口２５とを有している。
【００２７】
貨幣処理装置１の上面２０の前面２１側の左側には、紙幣処理部６の位置に、入金処理時に装置外からバラ紙幣が投入される上方開口の紙幣入金口２６が設けられている。また、紙幣処理部６の位置には、上面２０における紙幣入金口２６の後側に、出金処理時に装置内から出金紙幣が繰り出されると共に入金処理時に受け入れ不可と識別された受入不可紙幣が装置内から繰り出される紙幣出金口２７が設けられている。紙幣入金口２６には、複数金種が混在する金種混合状態で紙幣が装置外から一括投入可能であり、このように入れられた紙幣を一枚ずつ分離して装置内に繰り出す。
【００２８】
硬貨処理部５は、図３に示す概略構成となっている。
硬貨処理部５には、硬貨入金口２２に入れられた硬貨を一枚ずつ分離して左方に搬送する第１入金搬送路３１と、第１入金搬送路３１で搬送されてきた硬貨を後方に向けて搬送する第２入金搬送路３２と、第２入金搬送路３２に設けられ、第２入金搬送路３２で後方に向けて搬送される硬貨を識別する硬貨識別部３３（識別部）とが設けられている。
【００２９】
ここで、硬貨識別部３３で受け入れ不可と識別された受入不可硬貨は、第２入金搬送路３２のスイッチバックによる逆転搬送で前方に搬送される。硬貨処理部５には、硬貨識別部３３よりも前側に第２入金搬送路３２から硬貨を落下させる開閉可能なリジェクト振分ゲート３６が設けられている。リジェクト振分ゲート３６は、閉状態では第２入金搬送路３２から硬貨を落下させることはなく、開作動することで、上記の第２入金搬送路３２の逆転搬送で前方に向けて搬送される受入不可硬貨を第２入金搬送路３２から落下させる。硬貨処理部５には、リジェクト振分ゲート３６で第２入金搬送路３２から落下させられた硬貨を硬貨リジェクト口２４に案内するリジェクトシュータ３７が設けられている。
【００３０】
硬貨処理部５には、硬貨識別部３３よりも後方に、それぞれが所定の単一金種のバラ硬貨を収納すると共に、収納しているバラ硬貨を繰り出す複数の金種別のスタッカ４１ａ，４１ｂ，４１ｃ，４１ｄ，４１ｅ，４１ｆが設けられている。金種別のスタッカ４１ａ〜４１ｆは、それぞれが左右方向に長い形状をなしており、左右方向の位置を合わせて前後方向に並んで配置されている。例えば、最も前側のスタッカ４１ａには１円硬貨が、前側から二番目のスタッカ４１ｂには１０円硬貨が、前側から三番目のスタッカ４１ｃには１００円硬貨が、前側から四番目のスタッカ４１ｄには５円硬貨が、前側から五番目のスタッカ４１ｅには５０円硬貨が、最も後側のスタッカ４１ｆには５００円硬貨が、それぞれ収納される。これは一例であり、スタッカ４１ａ〜４１ｆは、それぞれに単一金種のバラ硬貨を収納するようにすれば、いずれの金種を収納するように設定することも勿論可能である。
【００３１】
第２入金搬送路３２は、すべてのスタッカ４１ａ〜４１ｆを前後方向に結ぶように延在しており、硬貨処理部５には、硬貨識別部３３よりも後方側に、第２入金搬送路３２から硬貨を落下させる開閉可能な複数の金種振分ゲート４２ａ，４２ｂ，４２ｃ，４２ｄ，４２ｅ，４２ｆが設けられている。金種振分ゲート４２ａ〜４２ｆは、いずれも、閉状態では第２入金搬送路３２から硬貨を落下させることはなく、開作動時に第２入金搬送路３２から硬貨を落下させる。金種振分ゲート４２ａ〜４２ｆは、硬貨識別部３３の識別結果に基づいて対応する金種の硬貨をスタッカ４１ａ〜４１ｆの対応する金種のものに落下させる。
【００３２】
つまり、金種振分ゲート４２ａ〜４２ｆのうち最も前側の金種振分ゲート４２ａは、開作動時に、スタッカ４１ａ〜４１ｆのうち最も前側のスタッカ４１ａに第２入金搬送路３２から硬貨を落下させることになる。同様に、前から二番目の金種振分ゲート４２ｂが前から二番目のスタッカ４１ｂに、前から三番目の金種振分ゲート４２ｃが前から三番目のスタッカ４１ｃに、前から四番目の金種振分ゲート４２ｄが前から四番目のスタッカ４１ｄに、前から五番目の金種振分ゲート４２ｅが前から五番目のスタッカ４１ｅに、最も後側の金種振分ゲート４２ｆが最も後側のスタッカ４１ｆに、それぞれ開作動時に第２入金搬送路３２から硬貨を落下させる。
【００３３】
ここで、上記した第１入金搬送路３１、第２入金搬送路３２及び金種振分ゲート４２ａ〜４２ｆが、硬貨入金口２２に入れられた硬貨をスタッカ４１ａ〜４１ｆに搬送する入金搬送部４３を構成している。入金搬送部４３は硬貨処理部５に設けられており、よって硬貨処理部５を含む図１に示す本体部２に設けられている。
【００３４】
図３に示すスタッカ４１ａ〜４１ｆは、それぞれが収納している硬貨を一枚ずつに分離して右方に繰り出すことになり、硬貨処理部５には、スタッカ４１ａ〜４１ｆの右方に、スタッカ４１ａ〜４１ｆから繰り出された硬貨を前方に搬送する中間搬送路４６が設けられている。この中間搬送路４６は、前後方向に長く硬貨入金口２２に硬貨を搬送可能となっており、スタッカ４１ａ〜４１ｆのそれぞれに対して直交する方向に延在している。硬貨処理部５には、中間搬送路４６から硬貨を落下させる開閉可能な出金口振分ゲート４７が、硬貨入金口２２とスタッカ４１ａとの間に設けられている。出金口振分ゲート４７は、閉状態では中間搬送路４６から硬貨を落下させることはなく、開作動時に中間搬送路４６から硬貨を落下させる。硬貨処理部５には、出金口振分ゲート４７の下方に、出金口振分ゲート４７で中間搬送路４６から落下させられた硬貨を硬貨出金口２５に搬送する出金搬送路４８が設けられている。
【００３５】
硬貨処理部５には、スタッカ４１ａよりも前方に、バラ硬貨を収納すると共に、収納しているバラ硬貨を繰り出す予備収納庫５１が設けられている。予備収納庫５１は、前後方向に長い形状をなしており、中間搬送路４６の左側に、これと平行に並んで設けられている。予備収納庫５１は、スタッカ４１ａ〜４１ｆのそれぞれに対して直交する方向に延在している。
【００３６】
硬貨処理部５には、硬貨入金口２２と出金口振分ゲート４７との間に、中間搬送路４６から硬貨を落下させる開閉可能な予備振分ゲート５２が設けられている。予備振分ゲート５２は、閉状態では中間搬送路４６から硬貨を落下させることはなく、開作動時に中間搬送路４６から硬貨を落下させる。中間搬送路４６は、予備振分ゲート５２から落下しなかった硬貨を末端から硬貨入金口２２に落下させる。硬貨処理部５には、予備振分ゲート５２の下方に、予備振分ゲート５２で中間搬送路４６から落下させられた硬貨を予備収納庫５１に案内する予備収納庫シュータ５３が設けられている。
【００３７】
予備収納庫５１は、収納している硬貨を一枚ずつに分離して後方に繰り出すことになり、硬貨処理部５には、予備収納庫５１とスタッカ４１ａとの間に、予備収納庫５１から繰り出された硬貨を左右に振り分け搬送する振分搬送部５６が設けられている。この振分搬送部５６は、左右方向に長く、予備収納庫５１と直交し、スタッカ４１ａ〜４１ｆのそれぞれに対して平行する方向に延在している。振分搬送部５６は、予備収納庫５１から繰り出された硬貨を右方に搬送して中間搬送路４６のスタッカ４１ａと出金口振分ゲート４７との間位置に繰り出す。この振分搬送部５６の左方には、硬貨処理部５から下方に開口する繰出口５７が設けられており、振分搬送部５６は、予備収納庫５１から繰り出された硬貨を左方に搬送して繰出口５７に落下させる。このように振分搬送部５６が繰出口５７に落下させた硬貨は、硬貨処理部５つまり図１に示す本体部２から繰り出されて下方に落下する。
【００３８】
ここで、図３に示す中間搬送路４６、出金搬送路４８、出金口振分ゲート４７、予備振分ゲート５２及び予備収納庫シュータ５３が、スタッカ４１ａ〜４１ｆから繰り出された硬貨を硬貨出金口２５、予備収納庫５１及び硬貨入金口２２に選択的に搬送する出金搬送部５８を構成している。出金搬送部５８は硬貨処理部５に設けられており、よって硬貨処理部５を含む図１に示す本体部２に設けられている。図３に示す振分搬送部５６は、予備収納庫５１から繰り出された硬貨を、出金搬送部５８及び繰出口５７に選択的に搬送する。その結果、予備収納庫５１は、出金搬送部５８で搬送される硬貨を収納可能であると共に、収納している硬貨を振分搬送部５６を介して出金搬送部５８に繰り出し可能となっている。
【００３９】
図４に示すように、第１入金搬送路３１は、硬貨入金口２２の鉛直下方から左方に延出する無端のベルトコンベア６１と、硬貨入金口２２よりも左側においてベルトコンベア６１の上側に配置され、ベルトコンベア６１の搬送方向とは逆方向に対向部分を移動させる分離ローラ６２とを有している。第１入金搬送路３１は、硬貨入金口２２に投入された硬貨を、回転するベルトコンベア６１によって左方に送り、途中位置に設けられた分離ローラ６２で一枚ずつに分離して更に左方に搬送する。
【００４０】
第１入金搬送路３１は、分離ローラ６２で一枚ずつに分離されてベルトコンベア６１で左方に搬送されてきた硬貨を更に搬送する通路６３及び搬送ベルト６４を有している。通路６３及び搬送ベルト６４は、左右方向に延在しており、ベルトコンベア６１から通路６３上に送り出された硬貨を搬送ベルト６４が上側から通路６３に押し付けて更に左方に搬送する。
【００４１】
第２入金搬送路３２は、第１入金搬送路３１の通路６３及び搬送ベルト６４で搬送されてきた硬貨を更に搬送する通路７１及び搬送ベルト７２を有している。通路７１及び搬送ベルト７２は、前後方向に延在しており、第１入金搬送路３１から通路７１上に送り出された硬貨を搬送ベルト７２が上側から通路７１に押し付けて後方に搬送する。
【００４２】
硬貨識別部３３は、通路７１の一部を構成するように設けられており、搬送ベルト７２で搬送されて通過する硬貨をその画像や材質から識別する。硬貨識別部３３は、硬貨が受け入れ可能な受入可能硬貨であるか、受け入れ不可な受入不可硬貨であるかを識別し、受入可能硬貨については金種を識別して計数する。
【００４３】
リジェクト振分ゲート３６は、第２入金搬送路３２における第１入金搬送路３１と硬貨識別部３３との間位置に配置されており、閉状態では通路７１の一部を構成する。リジェクト振分ゲート３６は、開状態ではその硬貨識別部３３側が通路７１よりも上側に位置するように回動し、この状態で搬送ベルト７２によって硬貨識別部３３側から通路７１上を移動させられる硬貨を落下させる。リジェクト振分ゲート３６で第２入金搬送路３２から落下させられた硬貨は、リジェクトシュータ３７を介して硬貨リジェクト口２４に放出される。
【００４４】
金種振分ゲート４２ａ〜４２ｆは、第２入金搬送路３２における硬貨識別部３３に対して第１入金搬送路３１とは反対側に直列状に配置されており、いずれも閉状態では通路７１の一部を構成する。金種振分ゲート４２ａ〜４２ｆは、いずれも開状態ではその硬貨識別部３３側が通路７１よりも上側に位置するように回動し、この状態で搬送ベルト７２により硬貨識別部３３側から通路７１上を移動する硬貨を落下させる。金種振分ゲート４２ａ〜４２ｆで第２入金搬送路３２から落下させられた硬貨は、スタッカ４１ａ〜４１ｆの対応するものに収納される。ここで、ＰＯＳレジ１１の制御部１８は、硬貨識別部３３の識別結果に基づいて、各スタッカ４１ａ〜４１ｆへの硬貨の入金量を把握する。
【００４５】
スタッカ４１ａ〜４１ｆは、それぞれ、壁部７６と、壁部７６の下側に配置されて左右に延在する無端のベルトコンベア７７と、ベルトコンベア７７の上側に配置された分離ローラ７８とを有している。スタッカ４１ａ〜４１ｆは、それぞれ、壁部７６内の分離ローラ７８よりも左方のベルトコンベア７７上に金種振分ゲート４２ａ〜４２ｆから落下する硬貨を収納することになり、ベルトコンベア７７は、収納している硬貨を右方に搬送する。分離ローラ７８は、ベルトコンベア７７の搬送方向とは逆方向に対向部分を移動させることにより、ベルトコンベア７７上の硬貨を一枚ずつに分離する。ベルトコンベア７７は、分離ローラ７８で一枚ずつに分離された硬貨を更に右方に搬送する。スタッカ４１ａ〜４１ｆは、それぞれ、ベルトコンベア７７の右端位置に、ベルトコンベア７７及び分離ローラ７８で一枚ずつに分離されて搬送される硬貨を計数しつつ一枚ずつ中間搬送路４６に繰り出す繰出機構７９を有している。ここで、ＰＯＳレジ１１の制御部１８は、上記のように各スタッカ４１ａ〜４１ｆへの硬貨の入金量を把握しており、これと繰出機構７９の計数値とから、各スタッカ４１ａ〜４１ｆに収納されている硬貨の収納量を把握する。
【００４６】
スタッカ４１ａ〜４１ｆの右側には、前後方向に延在する無端のベルトコンベア８１が設けられている。このベルトコンベア８１は、図５に示すようにスタッカ４１ａ〜４１ｆに近い部分が中間搬送路４６を構成する中間搬送路構成部８２となっており、スタッカ４１ａ〜４１ｆから遠い部分が出金搬送路４８を構成する出金搬送路構成部８３となっている。中間搬送路構成部８２のうちスタッカ４１ａ〜４１ｆに近い部分は、水平に配置されており、スタッカ４１ａ〜４１ｆから繰り出された硬貨を上面に受け入れる。中間搬送路構成部８２のうちスタッカ４１ａ〜４１ｆから遠い前側の部分は、前上がりに傾斜している。出金搬送路構成部８３は、中間搬送路構成部８２の前側の部分から段差状をなして下側に配置されて前方に延出している。
【００４７】
ベルトコンベア８１の中間搬送路構成部８２の上側には、スタッカ４１ａ〜４１ｆよりも前側に分離ローラ８５が配置されている。分離ローラ８５は、中間搬送路構成部８２の搬送方向とは逆方向に対向部分を移動させることにより、中間搬送路構成部８２上の硬貨を一枚ずつに分離して前方に繰り出させる。ベルトコンベア８１の中間搬送路構成部８２及び分離ローラ８５は、中間搬送路４６を構成している。
【００４８】
ベルトコンベア８１の中間搬送路構成部８２よりも前方には、分離ローラ８５で一枚ずつに分離されてベルトコンベア８１の中間搬送路構成部８２で前方に搬送されてきた硬貨を更に前方に搬送する通路８７及び搬送ベルト８８が設けられている。通路８７及び搬送ベルト８８は、中間搬送路構成部８２の前側で前後方向に延在しており、通路８７は、中間搬送路構成部８２の前上がりの部分の延長線上で前上がりに傾斜している。通路８７及び搬送ベルト８８は、ベルトコンベア８１の中間搬送路構成部８２から通路８７上に送り出された硬貨を搬送ベルト８８が上側から通路８７に押し付けて更に前方に搬送する。
【００４９】
通路８７に出金口振分ゲート４７が設けられている。出金口振分ゲート４７は、閉状態では通路８７の一部を構成している。出金口振分ゲート４７は、開状態ではその中間搬送路構成部８２側が通路８７よりも上側に位置するように回動し、この状態でベルトコンベア８１の中間搬送路構成部８２により通路８７側に搬送される硬貨を落下させる。出金口振分ゲート４７で中間搬送路構成部８２から落下させられた硬貨は、ベルトコンベア８１の出金搬送路構成部８３上に落下する。
【００５０】
予備振分ゲート５２は、通路８７の出金口振分ゲート４７よりも中間搬送路構成部８２とは反対側に設けられており、閉状態では通路８７の一部を構成している。予備振分ゲート５２は、開状態ではその中間搬送路構成部８２側が通路８７よりも上側に位置するように回動し、この状態で搬送ベルト８８により通路８７上を移動する硬貨を落下させる。予備振分ゲート５２で通路８７から落下させられた硬貨は、予備収納庫シュータ５３を介して図４に示す予備収納庫５１に落下する。
【００５１】
図５に示す通路８７及び搬送ベルト８８は、出金口振分ゲート４７及び予備振分ゲート５２のいずれでも落下させなかった硬貨を末端位置から硬貨入金口２２を介して第１入金搬送路３１のベルトコンベア６１上に落下させる。
【００５２】
ベルトコンベア８１の中間搬送路構成部８２及び分離ローラ８５に加えて、通路８７及び搬送ベルト８８が、スタッカ４１ａ〜４１ｆから繰り出された硬貨を硬貨入金口２２に搬送可能な中間搬送路４６を構成している。
【００５３】
ベルトコンベア８１の出金搬送路構成部８３の上側には、分離ローラ９１が配置されている。分離ローラ９１は、出金搬送路構成部８３の搬送方向とは逆方向に対向部分を移動させることにより、出金搬送路構成部８３上の硬貨を一枚ずつに分離する。出金搬送路構成部８３は、分離ローラ９１で一枚ずつに分離された硬貨を前方に搬送する。
【００５４】
ベルトコンベア８１の出金搬送路構成部８３よりも前方には、分離ローラ９１で一枚ずつに分離されてベルトコンベア８１の出金搬送路構成部８３で前方に搬送されてきた硬貨を更に前方に搬送する通路９２及び搬送ベルト９３が設けられている。通路９２及び搬送ベルト９３は、出金搬送路構成部８３の前側で前後方向に延在しており、出金搬送路構成部８３から通路９２上に送り出された硬貨を搬送ベルト９３が上側から通路９２に押し付けて更に前方に搬送する。通路９２及び搬送ベルト９３は、硬貨を末端位置から硬貨出金口２５に放出する。
【００５５】
ベルトコンベア８１の出金搬送路構成部８３、分離ローラ９１、通路９２及び搬送ベルト９３が、出金口振分ゲート４７で中間搬送路４６から落下させられた硬貨を硬貨出金口２５に搬送する出金搬送路４８を構成している。この出金搬送路４８は、スタッカ４１ａ〜４１ｆから繰り出され中間搬送路４６で搬送されてきた硬貨を硬貨出金口２５に搬送する。
【００５６】
図６に示すように、予備収納庫５１は、壁部９５と、壁部９５の下部に配置されて前後方向に延在する無端のベルトコンベア９６とを有している。ベルトコンベア９６は、その後側の部分が鉛直に近い角度で後ろ上がりに立ち上がっており、図示略の係止片で硬貨を一枚ずつ持ち上げて振分搬送部５６に繰り出す。これにより、予備収納庫５１は、硬貨を一枚ずつに分離して振分搬送部５６に繰り出す。
【００５７】
振分搬送部５６は、図４に示すように、左右方向に延在するベルトコンベア９８と、その上側の分離ローラ９９と、ベルトコンベア９８と繰出口５７とを結ぶように延在する通路１００と、通路１００上で左右方向に延在する無端の搬送ベルト１０１とを有している。ベルトコンベア９８は、通路１００と中間搬送路４６のベルトコンベア８１とを結ぶように設けられており、予備収納庫５１よりも通路１００側に分離ローラ９９が設けられている。分離ローラ９９は、ベルトコンベア９８の通路１００側への搬送方向とは逆方向に対向部分を移動させることにより、ベルトコンベア９８上の硬貨を一枚ずつに分離することになり、ベルトコンベア９８は、分離ローラ９９で一枚ずつに分離された硬貨を通路１００側に搬送する。ベルトコンベア９８の他端側は、ベルトコンベア８１のスタッカ４１ａと分離ローラ８５との間位置に硬貨を繰り出すようになっている。通路１００には、搬送ベルト１０１で繰出口５７側に搬送される硬貨の金種を識別しつつ計数する繰出識別部１０２が設けられている。ここで、ＰＯＳレジ１１の制御部１８は、繰出識別部１０２の計数結果から、繰出口５７に落下する硬貨の在高を把握している。
【００５８】
図７に示すように、紙幣処理部６には、前側から順に、紙幣入金口２６、紙幣出金口２７、紙幣を収納可能な着脱式の紙幣カセット１１８、紙幣を収納するとともに収納した紙幣を紙幣出金口２７に出金させる複数具体的には四つの着脱不可な紙幣収納庫１２０，１２１，１２２，１２３が設けられている。紙幣カセット１１８は、紙幣収納庫１２０〜１２３からの紙幣を収納可能となっている。
【００５９】
例えば、紙幣収納庫１２０〜１２２は、それぞれが単一金種収納用となっており、紙幣収納庫１２０には千円紙幣が収納され、紙幣収納庫１２１には五千円紙幣が収納され、紙幣収納庫１２２には万円紙幣が収納される。また、紙幣収納庫１２３は、金種混合収納用となっており、紙幣収納庫１２０〜１２２に収納しきれないオーバーフロー紙幣や流通量が少ない二千円紙幣が収納される。勿論、紙幣収納庫１２０〜１２３への収納パターンは、これに限らず、種々の設定が可能である。
【００６０】
紙幣入金口２６、紙幣出金口２７、紙幣カセット１１８及び紙幣収納庫１２０〜１２３は、いずれも左右方向に長い横長の形状をなしており、すべて、長辺が上端及び下端で左右方向に沿う姿勢（横長の姿勢）の紙幣を受け入れるようになっている。
【００６１】
上記した紙幣入金口２６、紙幣出金口２７、紙幣カセット１１８及び紙幣収納庫１２０〜１２３は、紙幣処理部６の内部の右側に寄せられて設けられており、これにより紙幣処理部６の内部の左側に設けられたスペースに、これら紙幣入金口２６、紙幣出金口２７、紙幣カセット１１８及び紙幣収納庫１２０〜１２３を接続させて紙幣のやり取りを行う紙幣搬送部１２７が配置されている。なお、この紙幣搬送部１２７も紙幣を常に長辺が上端及び下端となる姿勢で搬送する。
【００６２】
紙幣搬送部１２７は、紙幣入金口２６と紙幣収納庫１２３とを結ぶ主搬送路１２８と、主搬送路１２８の紙幣出金口２７の近傍から分岐して紙幣出金口２７に接続される分岐搬送路１２９と、主搬送路１２８の紙幣カセット１１８の近傍から分岐して紙幣カセット１１８に接続される分岐搬送路１３０と、主搬送路１２８の紙幣収納庫１２０の近傍から分岐して紙幣収納庫１２０に接続される分岐搬送路１３２と、主搬送路１２８の紙幣収納庫１２１の近傍から分岐して紙幣収納庫１２１に接続される分岐搬送路１３３と、主搬送路１２８の紙幣収納庫１２２の近傍から分岐して紙幣収納庫１２２に接続される分岐搬送路１３４とを有している。
【００６３】
紙幣搬送部１２７は、主搬送路１２８を介して紙幣収納庫１２０〜１２３側から搬送されてきた紙幣を、駆動状態で分岐搬送路１２９に案内して紙幣出金口２７に搬送させる一方、非駆動状態ではそのまま主搬送路１２８で搬送させる振分部１２９Ｇを有している。分岐搬送路１２９は、紙幣出金口２７に向けて回転して紙幣を紙幣出金口２７に送り込むローラ対１２９Ｒを有している。
【００６４】
また、紙幣搬送部１２７は、主搬送路１２８を介して紙幣収納庫１２０〜１２３側から搬送されてきた紙幣を、駆動状態で分岐搬送路１３０に案内して紙幣カセット１１８に搬送させる一方、非駆動状態ではそのまま主搬送路１２８で搬送させる振分部１３０Ｇを有している。分岐搬送路１３０は、紙幣カセット１１８に向けて回転して紙幣を紙幣カセット１１８に送り込むローラ対１３０Ｒを有している。
【００６５】
また、紙幣搬送部１２７は、主搬送路１２８を介して紙幣入金口２６側から搬送されてきた紙幣を、駆動状態で分岐搬送路１３２に案内して紙幣収納庫１２０に搬送させる一方、非駆動状態ではそのまま主搬送路１２８で搬送させる振分部１３２Ｇを有している。分岐搬送路１３２は、紙幣収納庫１２０に向けて回転して紙幣を紙幣収納庫１２０に送り込むローラ１３２Ｒａ，１３２Ｒｂを有している。紙幣収納庫１２０には、ローラ１３２Ｒａ，１３２Ｒｂに向けて紙幣を蹴り出す蹴出ローラ１２０Ｒが設けられている。一方のローラ１３２Ｒａは、紙幣収納庫１２０から紙幣を繰り出す際に回転し、他方のローラ１３２Ｒｂは、紙幣収納庫１２０から紙幣を繰り出す際には停止して紙幣を一枚ずつに分離する。
【００６６】
また、紙幣搬送部１２７は、主搬送路１２８を介して紙幣入金口２６側から搬送されてきた紙幣を、駆動状態で分岐搬送路１３３に案内して紙幣収納庫１２１に搬送させる一方、非駆動状態ではそのまま主搬送路１２８で搬送させる振分部１３３Ｇを有している。分岐搬送路１３３は、紙幣収納庫１２１に向けて回転して紙幣を紙幣収納庫１２１に送り込むローラ１３３Ｒａ，１３３Ｒｂを有している。紙幣収納庫１２１には、ローラ１３３Ｒａ，１３３Ｒｂに向けて紙幣を蹴り出す蹴出ローラ１２１Ｒが設けられている。一方のローラ１３３Ｒａは、紙幣収納庫１２１から紙幣を繰り出す際に回転し、他方のローラ１３３Ｒｂは、紙幣収納庫１２１から紙幣を繰り出す際には停止して紙幣を一枚ずつに分離する。
【００６７】
また、紙幣搬送部１２７は、主搬送路１２８を介して紙幣入金口２６側から搬送されてきた紙幣を、駆動状態で分岐搬送路１３４に案内して紙幣収納庫１２２に搬送させる一方、非駆動状態ではそのまま主搬送路１２８で搬送させる振分部１３４Ｇを有している。分岐搬送路１３４は、紙幣収納庫１２２に向けて回転して紙幣を紙幣収納庫１２２に送り込むローラ１３４Ｒａ，１３４Ｒｂを有している。紙幣収納庫１２２には、ローラ１３４Ｒａ，１３４Ｒｂに向けて紙幣を蹴り出す蹴出ローラ１２２Ｒが設けられている。一方のローラ１３４Ｒａは、紙幣収納庫１２２から紙幣を繰り出す際に回転し、他方のローラ１３４Ｒｂは、紙幣収納庫１２２から紙幣を繰り出す際には停止して紙幣を一枚ずつに分離する。
【００６８】
また、主搬送路１２８は、紙幣収納庫１２３に向けて回転して紙幣を紙幣収納庫１２３に送り込むローラ１３５Ｒａ，１３５Ｒｂを有している。紙幣収納庫１２３には、ローラ１３５Ｒａ，１３５Ｒｂに向けて紙幣を蹴り出す蹴出ローラ１２３Ｒが設けられている。一方のローラ１３５Ｒａは、紙幣収納庫１２３から紙幣を繰り出す際に回転し、他方のローラ１３５Ｒｂは、紙幣収納庫１２３から紙幣を繰り出す際には停止して紙幣を一枚ずつに分離する。
【００６９】
紙幣入金口２６は、主搬送路１２８に向けて紙幣を蹴り出す蹴出ローラ２６Ｒａと、蹴出ローラ２６Ｒａで蹴り出された紙幣を主搬送路１２８に繰り出す繰出ローラ２６Ｒｂと、繰出ローラ２６Ｒｂで繰り出される紙幣を、停止することにより一枚ずつに分離する分離ローラ２６Ｒｃとを有している。
【００７０】
主搬送路１２８には、分岐搬送路１２９，１３０間に、紙幣を識別する紙幣識別部１４０が設けられている。
【００７１】
図８に示すように、補助収納庫３は、前方に開口する箱形の筐体部１５１と、筐体部１５１に対して前方に水平に引き出し可能に支持された第１収納ドロア１５２とを有する第１補助収納部１５３と、前方に開口する箱形の筐体部１５５と、筐体部１５５に対して前方に水平に引き出し可能に支持された第２収納ドロア１５６とを有する第２補助収納部１５７とを有している。第１収納ドロア１５２の前面には、ＬＥＤからなる第１表示ランプ１５８が設けられており、第２収納ドロア１５６の前面には、ＬＥＤからなる第２表示ランプ１５９が設けられている。
【００７２】
筐体部１５１，１５５は、別体であって、高さ及び奥行が同等であり、高さ方向の位置及び奥行方向の位置を合わせて左右に並べられる。つまり、第１補助収納部１５３及び第２補助収納部１５７は、別体であって、筐体部１５１，１５５が当接する状態に並べられて補助収納庫３を構成する。筐体部１５１，１５５は、左右に並べられた状態で必要により連結されて一体化されている。ここで、筐体部１５１は、筐体部１５５よりも左右方向の幅が狭くなっており、第１収納ドロア１５２も第２収納ドロア１５６よりも左右方向の幅が狭くなっている。その結果、第１補助収納部１５３は、第２補助収納部１５７よりも左右方向の幅が狭くなっている。
【００７３】
第１補助収納部１５３は、筐体部１５１に第１収納ドロア１５２が押し込まれた閉状態では、第１収納ドロア１５２内への操作者によるアクセスが不可であり、第１収納ドロア１５２が筐体部１５１から引き出された開状態で、第１収納ドロア１５２内への操作者によるアクセスが可能となる。第１補助収納部１５３には、筐体部１５１に第１収納ドロア１５２を閉状態でロックする電磁ロックである第１ロック機構１６０が設けられている。この第１ロック機構１６０は、ＰＯＳレジ１１の制御部１８からの解除信号でロックが解除されることになり、ロックが解除されると、筐体部１５１から第１収納ドロア１５２を少し突出させる。これにより、筐体部１５１からの第１収納ドロア１５２の引き出しが可能になる。その後、第１収納ドロア１５２が筐体部１５１に押し込まれて閉状態になると第１ロック機構１６０は、自動的に第１収納ドロア１５２を筐体部１５１にロックする。
【００７４】
第１ロック機構１６０には、これがロック状態にあるかロック解除状態にあるかを検知する図示略のロック検知部が設けられており、ＰＯＳレジ１１の制御部１８は、このロック検知部の検知結果に基づいて第１ロック機構１６０がロック状態にあるかロック解除状態にあるかを判定する。この判定に基づいて、ＰＯＳレジ１１の制御部１８は、第１ロック機構１６０がロック状態にあるかロック解除状態にあるかを、状態告知部としての第１表示ランプ１５８の異なる表示で操作者に報知する。例えば、第１ロック機構１６０がロック状態にあるとき第１表示ランプ１５８を点灯させ、第１ロック機構１６０がロック解除状態にあるとき第１表示ランプ１５８を点滅させる。或いは、第１ロック機構１６０がロック状態にあるとき緑色点灯としロック解除状態にあるとき赤色点滅とする。これらに加えて図示略の状態告知部としてのスピーカによる音声で報知しても良い。
【００７５】
第２補助収納部１５７も、第１補助収納部１５３と同様であり、筐体部１５５に第２収納ドロア１５６を閉状態でロックする電磁ロックである第２ロック機構１６１が設けられている。この第２ロック機構１６１も、ＰＯＳレジ１１の制御部１８からの解除信号でロックが解除されることになり、その後、第２収納ドロア１５６が筐体部１５５に押し込まれて閉状態になると自動的に第２収納ドロア１５６を筐体部１５５にロックする。
【００７６】
第２ロック機構１６１にも、ロック状態にあるかロック解除状態にあるかを検知する図示略のロック検知部が設けられており、ＰＯＳレジ１１の制御部１８は、このロック検知部の検知結果に基づいて、第２ロック機構１６１がロック状態にあるかロック解除状態にあるかを判定し、判定結果に基づいて、ロック状態にあるかロック解除状態にあるかを、状態告知部としての第２表示ランプ１５９の異なる表示で操作者に報知する。報知方法は、第１ロック機構１６０の報知方法と同様である。ここで、第１ロック機構１６０及び第２ロック機構１６１としては、制御部１８からの解除信号でロックが解除される電磁ロック以外にも、別体のキーでロックが解除されるシリンダ錠を用いることが可能である。
【００７７】
図１に示すように、一方の第１補助収納部１５３は、硬貨処理部５の鉛直下方に配置されており、他方の第２補助収納部１５７は、紙幣処理部６の鉛直下方に配置されている。一方の第１収納ドロア１５２は、筐体部１５１に押し込まれてロックされた状態で硬貨処理部５の鉛直下方に位置することになり、他方の第２収納ドロア１５６は、筐体部１５５に押し込まれてロックされた状態で紙幣処理部６の鉛直下方に位置することになる。第１収納ドロア１５２は硬貨処理部５よりも左右方向の幅が狭く、第２収納ドロア１５６は紙幣処理部６よりも左右方向の幅が広くなっている。
【００７８】
図８に示すように第１補助収納部１５３の筐体部１５１の上板部１６４には、上方に開口して内外を連通させる導入口１６５が形成されており、この筐体部１５１上に図１に示すように硬貨処理部５が位置を合わせて載置されると、図８に示す導入口１６５は、図４に示す硬貨処理部５の繰出口５７と水平方向の位置が合い、硬貨処理部５の繰出口５７から落下する全ての硬貨を、この導入口１６５から第１補助収納部１５３内に受け入れる。
【００７９】
ここで、図８に示すように第２補助収納部１５７の筐体部１５５には硬貨処理部５からの硬貨が導入される導入口は設けられていない。よって、補助収納庫３においては、第１補助収納部１５３の上面のみに硬貨処理部５からの硬貨が導入される導入口が形成されている。
【００８０】
第１収納ドロア１５２には、この第１収納ドロア１５２が筐体部１５１に押し込まれた閉状態で、硬貨処理部５の繰出口５７から繰り出され導入口１６５に導入された硬貨を収納する回収硬貨収納トレー１６６（回収硬貨収納部）が設けられている。回収硬貨収納トレー１６６は、上方開口の有底箱状であり、第１収納ドロア１５２に対して着脱可能に設けられている。つまり、筐体部１５１から第１収納ドロア１５２が引き出された状態で、回収硬貨収納トレー１６６は、第１収納ドロア１５２から取り外されたり、第１収納ドロア１５２に取り付けられたりする。回収硬貨収納トレー１６６は、硬貨を金種混合の状態で一括して３００枚程度収納可能である。
【００８１】
第１収納ドロア１５２には、回収硬貨収納トレー１６６がセットされた状態にあるか否かを検知する図示略のトレーセット検知部と、セットされた状態の回収硬貨収納トレー１６６に収納されている硬貨が満杯状態にあるか否かを検知する図示略のトレーフル検知部とが設けられている。ＰＯＳレジ１１の制御部１８は、トレーセット検知部の検知結果から第１収納ドロア１５２に回収硬貨収納トレー１６６がセットされた状態にあるか否かを判定し、トレーフル検知部の検知結果から回収硬貨収納トレー１６６に収納されている硬貨が満杯状態にあるか否かを判定する。
【００８２】
以上から、筐体部１５１及び第１収納ドロア１５２を含む補助収納庫３は、硬貨処理部５を含む本体部２に対して別体であって本体部２を載置可能であり、本体部２には、硬貨処理部５の硬貨を放出する繰出口５７が設けられ、筐体部１５１には、本体部２の補助収納庫３への規定状態での載置時に繰出口５７から放出された硬貨を導入して回収硬貨収納トレー１６６に収納させる導入口１６５が設けられている。
【００８３】
第２収納ドロア１５６には、図９，図１０に示すように、最も前側に、紙葉類を収納する紙葉類収納部１６７が設けられている。紙葉類収納部１６７は、バラ紙幣、商品券、クレジットの明細書等の金融的価値がある紙葉類を収納するもので、第２収納ドロア１５６に固定されたトレー状の収納部本体１６８と、収納部本体１６８に収納された紙葉類を覆うように収納部本体１６８に着脱可能に取り付けられる蓋部１６９とを有している。蓋部１６９は、収納部本体１６８を開閉可能であれば収納部本体１６８に対して揺動可能に連結されていても良い。収納部本体１６８には、例えば、金種混合のバラ紙幣が一括で５０枚程度収納可能となっている。
【００８４】
第２収納ドロア１５６には、紙葉類収納部１６７の後側に、バラ硬貨を収納するトレー状のバラ硬貨収納部１７１と、貨幣以外の収納物を収納するトレー状の貨幣以外収納部１７２とが固定されている。これらバラ硬貨収納部１７１及び貨幣以外収納部１７２は、前後方向の位置を合わせて左右に並設されている。第２収納ドロア１５６に設けられたバラ硬貨収納部１７１は、第１収納ドロア１５２に設けられた回収硬貨収納トレー１６６とは別にバラ硬貨を収納する。バラ硬貨収納部１７１には、例えば、金種混合のバラ硬貨が一括で６０枚程度収納可能となっている。貨幣以外収納部１７２には、印鑑等が収納可能となっている。
【００８５】
第２収納ドロア１５６には、バラ硬貨収納部１７１及び貨幣以外収納部１７２の後側に、棒金を収納する棒金収納部１７５が固定されている。棒金は、単一金種の硬貨が規定枚数（例えば５０枚）集積され包装シートで包装されて一体化されたものである。棒金収納部１７５は、日本国内で主に流通している６金種の硬貨の棒金を収納可能である。棒金収納部１７５は、最も前側に１０円硬貨の棒金を収納する１０円硬貨トレー１７６と、１００円硬貨の棒金を収納する１００円硬貨トレー１７７とが設けられている。これら１０円硬貨トレー１７６及び１００円硬貨トレー１７７は、前後方向の位置を合わせて左右に並設されており、左側に１０円硬貨トレー１７６が、右側に１００円硬貨トレー１７７が設けられている。
【００８６】
１０円硬貨トレー１７６には、１０円棒金をその中心軸線が左右に延在する姿勢で水平移動を規制しつつ収納する１０円棒金単体収納部１７８が前後に複数箇所（具体的には四箇所）設けられている。１００円硬貨トレー１７７には、１００円棒金をその中心軸線が左右に延在する姿勢で水平移動を規制しつつ収納する１００円棒金単体収納部１７９が前後に複数箇所（具体的には四箇所）設けられている。
【００８７】
棒金収納部１７５は、１０円硬貨トレー１７６及び１００円硬貨トレー１７７の後側に、１円硬貨の棒金を収納する１円硬貨トレー１８１が設けられている。１円硬貨トレー１８１には、１円棒金をその中心軸線が左右に延在する姿勢で水平移動を規制しつつ収納する１円棒金単体収納部１８２が前後左右に複数箇所（具体的には四箇所）設けられている。
【００８８】
棒金収納部１７５は、１円硬貨トレー１８１の後側に、５円硬貨の棒金を収納する５円硬貨トレー１８５と、５０円硬貨の棒金を収納する５０円硬貨トレー１８６と、５００円硬貨の棒金を収納する５００円硬貨トレー１８７とが設けられている。これら５円硬貨トレー１８５、５０円硬貨トレー１８６及び５００円硬貨トレー１８７は、前端位置を合わせて左右に並設されており、左側から順に、５円硬貨トレー１８５、５０円硬貨トレー１８６、５００円硬貨トレー１８７が設けられている。
【００８９】
５円硬貨トレー１８５には、５円棒金をその中心軸線が前後に延在する姿勢で水平移動を規制しつつ収納する５円棒金単体収納部１９０が左右に複数箇所（具体的には二箇所）設けられている。５０円硬貨トレー１８６には、５０円棒金をその中心軸線が前後に延在する姿勢で水平移動を規制しつつ収納する５０円棒金単体収納部１９１が左右に複数箇所（具体的には二箇所）設けられている。５００円硬貨トレー１８７には、５００円棒金をその中心軸線が前後に延在する姿勢で水平移動を規制しつつ収納する５００円棒金単体収納部１９２が左右に複数箇所（具体的には二箇所）設けられている。
【００９０】
１０円棒金単体収納部１７８、１００円棒金単体収納部１７９、１円棒金単体収納部１８２、５円棒金単体収納部１９０、５０円棒金単体収納部１９１及び５００円棒金単体収納部１９２には、それぞれの底部に、一箇所に一つずつ、棒金の有無と棒金が収納対象でない異金種であるか収納対象の正金種であるかとを検出する磁気センサ等の棒金検知部が設けられている。ＰＯＳレジ１１の制御部１８は、棒金検知部の検知結果から、全ての棒金単体収納部１７８，１７９，１８２，１９０，１９１，１９２のそれぞれについて、棒金が収納されているか否かと、異金種の棒金が収納されているか正金種の棒金が収納されているかとを判定することになる。そして、制御部１８は、異金種の棒金が収納されていると、入力表示部１３に、異金種の棒金が収納されている場所を報知する。また、異金種の棒金が収納されていなければ、棒金の有無の結果から金種別の本数を割り出す。
【００９１】
ここで、第２補助収納部１５７の第２収納ドロア１５６の前面に、紙幣等の紙葉類を第２収納ドロア１５６内に挿入するためのスリットを設けても良い。これにより、第２収納ドロア１５６が筐体部１５５に押し込まれた閉状態にあっても第２収納ドロア１５６内（特に、紙葉類収納部１６７内）に紙幣等の紙葉類を収納可能となる。
【００９２】
次に、本実施形態の貨幣処理装置１の各種処理について説明する。
【００９３】
「入金処理」
ＰＯＳレジ１１において、バーコード読取部１４による商品バーコードの読み取り等で顧客が購入する商品の代金が確定し、入力操作部１２に入金操作が入力されると、ＰＯＳレジ１１の制御部１８は、貨幣処理装置１の硬貨入金口２２へ硬貨が投入されていれば、硬貨処理部５による硬貨入金処理を開始させることになり、貨幣処理装置１の紙幣入金口２６へ紙幣が投入されていれば、紙幣処理部６による紙幣入金処理とを開始させる。
【００９４】
硬貨入金処理では、硬貨処理部５が、硬貨入金口２２の硬貨を第１入金搬送路３１のベルトコンベア６１及び分離ローラ６２で一枚ずつ分離して第２入金搬送路３２に繰り出し、第２入金搬送路３２の通路７１及び搬送ベルト７２で搬送しつつ閉状態のリジェクト振分ゲート３６を越えて硬貨識別部３３まで搬送し、硬貨識別部３３で識別させる。硬貨識別部３３では受け入れの可不可及び受入可能硬貨については金種を識別して計数し、この識別結果に基づき、受入不可硬貨を、搬送ベルト７２の逆転搬送とリジェクト振分ゲート３６の開作動とでリジェクトシュータ３７を介して硬貨リジェクト口２４に放出する入金リジェクト処理を行う。これにより、受入不可硬貨が硬貨リジェクト口２４に収容され、操作者は、この受入不可硬貨を硬貨リジェクト口２４から取り出すことができる。
【００９５】
他方、硬貨識別部３３の識別結果に基づき、受入可能硬貨を、そのまま第２入金搬送路３２の下流側に移動させる。その結果、受入可能硬貨を、金種振分ゲート４２ａ〜４２ｆの対応するもので選別してスタッカ４１ａ〜４１ｆの対応する金種のものに収納する。つまり、１円硬貨は金種振分ゲート４２ａで落下させてスタッカ４１ａに収納し、１０円硬貨は金種振分ゲート４２ｂで落下させてスタッカ４１ｂに収納し、１００円硬貨は金種振分ゲート４２ｃで落下させてスタッカ４１ｃに収納し、５円硬貨は金種振分ゲート４２ｄで落下させてスタッカ４１ｄに収納し、５０円硬貨は金種振分ゲート４２ｅで落下させてスタッカ４１ｅに収納し、５００円硬貨は金種振分ゲート４２ｆで落下させてスタッカ４１ｆに収納する。
【００９６】
ここで、制御部１８は、上述したように金種別の各スタッカ４１ａ〜４１ｆに収納されている硬貨の収納量を把握しており、入金処理で新たに入金された硬貨によってスタッカ４１ａ〜４１ｆのいずれかの収納量が、所定の適正上限量を超える場合、スタッカ４１ａ〜４１ｆの適正上限量を超えるものから、繰出機構７９によって適正上限量を超える分の硬貨を計数しつつ中間搬送路４６に繰り出させて、入金処理後の収納量が適正上限量を超えないようにして、全てのスタッカ４１ａ〜４１ｆの収納量を適正上限量以下に保つ。これにより、全てのスタッカ４１ａ〜４１ｆの収納量を、多くても、収納量が適正上限量となるニアフル状態に保つようにする。
【００９７】
このようにスタッカ４１ａ〜４１ｆから中間搬送路４６に硬貨を繰り出させる場合、制御部１８は、出金口振分ゲート４７を閉状態のまま、予備振分ゲート５２を開状態として、ベルトコンベア８１の中間搬送路構成部８２及び搬送ベルト８８で硬貨を予備振分ゲート５２に向けて搬送する。すると、硬貨は、中間搬送路４６の分離ローラ８５で一枚ずつに分離された後、出金口振分ゲート４７を越えて予備振分ゲート５２の位置で中間搬送路４６から落下して予備収納庫シュータ５３を介して予備収納庫５１に収納される。このとき、制御部１８は、繰出機構７９の計数値から予備収納庫５１に収納された硬貨の金種別の入金量を把握している。
【００９８】
ここで、上述したように、制御部１８は、振分搬送部５６で予備収納庫５１から繰出口５７に繰り出された硬貨の金種別の繰出量を把握しており、この金種別の繰出量と、上記の予備収納庫５１への硬貨の金種別の入金量とから予備収納庫５１に収納されている硬貨の金種別の収納量を把握している。入金処理で予備収納庫５１に入金された硬貨によって予備収納庫５１の収納量が所定の適正上限量を超える場合、予備収納庫５１からベルトコンベア９６によって、硬貨を振分搬送部５６に繰り出させて、振分搬送部５６のベルトコンベア９８及び搬送ベルト１０１によって、繰出口５７に向けて搬送する。そして、繰出識別部１０２の計数結果に基づいて適正上限量を超える分の硬貨を繰出口５７に落下させる。このようにして入金処理後の予備収納庫５１の収納量が適正上限量を超えないようにして適正上限量以下に保つ。振分搬送部５６から繰り出された硬貨は、繰出口５７及び導入口１６５を介して補助収納庫３の第１収納ドロア１５２の回収硬貨収納トレー１６６に収納される。制御部１８は、振分搬送部５６の繰出識別部１０２の識別結果から、本体部２から補助収納庫３へ繰り出した硬貨の金種別の繰出量を把握している。
【００９９】
紙幣入金処理では、紙幣処理部６が、紙幣入金口２６の紙幣を一枚ずつ分離して主搬送路１２８に送り出し、主搬送路１２８で紙幣収納庫１２０〜１２３に向けて搬送し、紙幣識別部１４０で識別させる。紙幣識別部１４０では、受け入れの可不可及び受入可能紙幣についての金種が識別され、この識別結果に基づき、受入可能紙幣を、紙幣収納庫１２０〜１２３用の振分部１３２Ｇ〜１３４Ｇのうち該当する金種用のものを駆動して、金種の紙幣収納庫１２０〜１２３のうちの該当する金種のものに収納する。つまり、千円紙幣は、振分部１３２Ｇで分岐搬送路１３２に送り込み、ローラ１３２Ｒａ，１３２Ｒｂで紙幣収納庫１２０に収納する。また、五千円紙幣は、振分部１３３Ｇで分岐搬送路１３３に送り込み、ローラ１３３Ｒａ，１３３Ｒｂの駆動で紙幣収納庫１２１に収納する。更に、万円紙幣は、振分部１３４Ｇで分岐搬送路１３４に送り込み、ローラ１３４Ｒａ，１３４Ｒｂの駆動で紙幣収納庫１２２に収納する。更に、二千円紙幣及び紙幣収納庫１２０〜１２２に収納しきれないオーバーフロー紙幣は、ローラ１３５Ｒａ，１３５Ｒｂの駆動で紙幣収納庫１２３に収納する。
【０１００】
他方、紙幣識別部１４０で入金不可と識別された紙幣は、主搬送路１２８の逆転駆動によって上記とは逆方向に搬送し、振分部１２９Ｇで分岐搬送路１２９に送り込んでローラ対１２９Ｒの駆動で紙幣出金口２７に搬送する。これにより、受入不可紙幣が紙幣出金口２７に収容され、操作者は、この受入不可紙幣を紙幣出金口２７から取り出すことができる。
【０１０１】
硬貨入金口２２の硬貨が、すべて、硬貨リジェクト口２４及びスタッカ４１ａ〜４１ｆのいずれかに搬送され、紙幣入金口２６の紙幣がすべて、紙幣収納庫１２０〜１２３及び紙幣出金口２７のいずれかに搬送されると、ＰＯＳレジ１１の制御部１８は、今回の入金処理において受け入れた硬貨及び紙幣の計数結果と、入金取消をするか、入金確定をするかの選択操作を促す表示とを入力表示部１３に表示させる。
【０１０２】
上記した入金取消をするか、入金確定をするかの問いに対して、操作者が、承認操作入力である入金確定の選択操作をＰＯＳレジ１１の入力操作部１２に入力すると、制御部１８は、今回の入金処理で受け入れた硬貨及び紙幣の計数値を確定して記憶すると共に、その合計金額から商品代金を減算して釣銭金額を算出し、入金処理を終了する。釣銭がある場合には、引き続き、後述の出金処理を行う。
【０１０３】
「入金返却処理」
他方、入金処理における上記した入金取消をするか、入金確定をするかの問いに対して、操作者が、取り消し操作入力である入金取消の選択操作をＰＯＳレジ１１の入力操作部１２に入力すると、制御部１８は、貨幣処理装置１の硬貨処理部５について、出金口振分ゲート４７を開状態にして、スタッカ４１ａ〜４１ｆのベルトコンベア７７を駆動し、入金された金額のうち硬貨部分を構成する返却硬貨を、スタッカ４１ａ〜４１ｆの対応するものから繰出機構７９で計数しつつ、中間搬送路４６のベルトコンベア８１の中間搬送路構成部８２上に繰り出させる。すると、ベルトコンベア８１の中間搬送路構成部８２が硬貨を出金口振分ゲート４７に向けて搬送する。その途中、硬貨は、中間搬送路４６の分離ローラ８５で一枚ずつに分離された後、出金口振分ゲート４７から、出金搬送路４８のベルトコンベア８１の出金搬送路構成部８３上に落下する。すると、出金搬送路４８の出金搬送路構成部８３上で分離ローラ９１によって再び一枚ずつに分離され、搬送ベルト９３の駆動で通路９２上を移動して硬貨出金口２５に放出される。
【０１０４】
また、制御部１８は、貨幣処理装置１の紙幣処理部６について、紙幣収納庫１２０〜１２２の対応するものから、入金された金額のうち紙幣部分を構成する返却紙幣を、分岐搬送路１３２〜１３４の対応するもの及び主搬送路１２８を介して紙幣出金口２７に搬送することになる。つまり、紙幣収納庫１２０から紙幣を繰り出す場合、紙幣を、蹴出ローラ１２０Ｒがローラ１３２Ｒａ，１３２Ｒｂに向けて蹴り出し、ローラ１３２Ｒｂで一枚に分離しながらローラ１３２Ｒａが分岐搬送路１３２に繰り出す。紙幣収納庫１２１から紙幣を繰り出す場合、紙幣を、蹴出ローラ１２１Ｒがローラ１３３Ｒａ，１３３Ｒｂに向けて蹴り出し、ローラ１３３Ｒｂで一枚に分離しながらローラ１３３Ｒａが分岐搬送路１３３に繰り出す。紙幣収納庫１２２から紙幣を繰り出す場合、蹴出ローラ１２２Ｒが紙幣をローラ１３４Ｒａ，１３４Ｒｂに向けて蹴り出し、ローラ１３４Ｒｂで一枚に分離しながらローラ１３４Ｒａが分岐搬送路１３４に繰り出す。このようにして紙幣収納庫１２０〜１２２の対応するものから繰り出された紙幣を主搬送路１２８で搬送し、振分部１２９Ｇで分岐搬送路１２９に導入して紙幣出金口２７に送り込む。
【０１０５】
入金された金額の硬貨部分を構成する返却硬貨が硬貨出金口２５に放出され、入金された金額の紙幣部分を構成する返却紙幣が紙幣出金口２７に放出されると、入金返却処理を終了することになり、操作者は、返却硬貨を硬貨出金口２５から、返却紙幣を紙幣出金口２７から取り出すことになる。
【０１０６】
「出金処理」
ＰＯＳレジ１１の制御部１８は、上記したように入金処理で受け入れた硬貨及び紙幣の合計金額から商品代金を減算して釣銭金額を算出し、釣銭がある場合には、釣銭金額を出金させるように貨幣処理装置１を制御する。
【０１０７】
制御部１８の制御により、貨幣処理装置１は、硬貨処理部５について、出金口振分ゲート４７を開状態にして、釣銭金額のうち硬貨部分を構成する出金硬貨を、スタッカ４１ａ〜４１ｆのベルトコンベア７７を駆動し、スタッカ４１ａ〜４１ｆの対応するものから繰出機構７９で計数しつつ、中間搬送路４６のベルトコンベア８１の中間搬送路構成部８２上に繰り出させる。すると、中間搬送路構成部８２が硬貨を出金口振分ゲート４７に向けて搬送する。その途中、硬貨は、中間搬送路４６の分離ローラ８５で一枚ずつに分離された後、出金口振分ゲート４７から、出金搬送路４８のベルトコンベア８１の出金搬送路構成部８３上に落下する。すると、出金搬送路４８の出金搬送路構成部８３上で分離ローラ９１によって再び一枚ずつに分離され、搬送ベルト９３の駆動で通路９２上を移動して硬貨出金口２５に放出される。
【０１０８】
また、貨幣処理装置１は、紙幣処理部６について、紙幣収納庫１２０，１２１の対応するものから、釣銭金額のうち紙幣部分を構成する出金紙幣を、入金返却処理と同様にして、分岐搬送路１３２，１３３の対応するもの及び主搬送路１２８を介して紙幣出金口２７に向けて搬送することになる。そして、主搬送路１２８で搬送される紙幣を、振分部１２９Ｇで分岐搬送路１２９に導入して紙幣出金口２７に送り込む。
【０１０９】
釣銭金額の硬貨部分を構成する出金硬貨が硬貨出金口２５に放出され、釣銭金額の紙幣部分を構成する出金紙幣が紙幣出金口２７に放出されると、出金処理を終了することになり、操作者は、出金硬貨を硬貨出金口２５から、出金紙幣を紙幣出金口２７から、それぞれ取り出すことになる。
【０１１０】
「内部硬貨補充処理」
出金処理後に、制御部１８は、金種別のスタッカ４１ａ〜４１ｆのいずれかの硬貨の収納量が、所定の適正下限量を下回る場合、つまり収納量が適正下限量であるニアエンド状態よりも少ない場合に、内部硬貨補充処理を行う。ここで、出金処理後にスタッカ４１ａ〜４１ｆのいずれかの収納量が適正下限量を下回る場合に自動的に内部硬貨補充処理を行うようにしても良く、ＰＯＳレジ１１の入力表示部１３に収納量がニアエンド状態よりも少ない状態にあることを表示し、入力操作部１２に内部硬貨補充処理の操作が入力された場合に限り内部硬貨補充処理を行うようにしても良い。ここで、制御部１８は、金種別のスタッカ４１ａ〜４１ｆの収納量にかかわらず、ＰＯＳレジ１１の入力操作部１２に操作が入力されると内部硬貨補充処理を実行する。
【０１１１】
内部硬貨補充処理では、制御部１８が、予備収納庫５１からベルトコンベア９６によって、硬貨を振分搬送部５６に繰り出させて、振分搬送部５６のベルトコンベア９８によって、中間搬送路４６に向けて搬送する。そして、出金口振分ゲート４７及び予備振分ゲート５２を閉状態のまま、ベルトコンベア８１の中間搬送路構成部８２及び搬送ベルト８８で硬貨を硬貨入金口２２に向けて搬送する。すると、硬貨は、出金口振分ゲート４７及び予備振分ゲート５２を越えて、中間搬送路４６の末端位置である通路８７の末端位置から落下して硬貨入金口２２内に落下する。
【０１１２】
更に、硬貨入金口２２の硬貨を第１入金搬送路３１のベルトコンベア６１及び分離ローラ６２で一枚ずつ分離して第２入金搬送路３２に繰り出し、第２入金搬送路３２で搬送しつつ硬貨識別部３３で金種を識別させる共に計数させる。この識別結果に基づき、硬貨を金種振分ゲート４２ａ〜４２ｆの対応するもので選別してスタッカ４１ａ〜４１ｆの対応する金種のものに収納する。そして、制御部１８は、全てのスタッカ４１ａ〜４１ｆの収納量が、適正下限量と適正上限量との間の所定の適正中間量以上になるか、適正下限量以上となってから所定時間が経過すると、予備収納庫５１からの硬貨の繰り出しを停止させる。
【０１１３】
ここで、このように予備収納庫５１からスタッカ４１ａ〜４１ｆに硬貨を補充する内部硬貨補充処理時に、スタッカ４１ａ〜４１ｆの補充が不要なものには、補充される硬貨によって収納量が、適正上限量を超える場合がある。このような場合、制御部１８は、スタッカ４１ａ〜４１ｆの適正上限量を超えるものから、繰出機構７９によって適正上限量を超える分の硬貨を計数しつつ中間搬送路４６に繰り出させて、入金処理後の収納量が適正上限量を超えないようにして全てのスタッカ４１ａ〜４１ｆの収納量を適正上限量以下に保つ。スタッカ４１ａ〜４１ｆの適正上限量を超えるものから繰り出された硬貨は、中間搬送路４６で予備収納庫５１から繰り出された硬貨と同様に搬送される。
【０１１４】
全てのスタッカ４１ａ〜４１ｆの収納量が適正下限量と適正上限量との間の所定の適正中間量以上になるか、適正下限量以上となってから所定時間が経過するか、適正下限量以上とならずに所定時間が経過すると、制御部１８は、予備収納庫５１からの硬貨の繰り出しを停止させると共に、予備振分ゲート５２を開き、振分搬送部５６、中間搬送路４６、第１入金搬送路３１、第２入金搬送路３２上に硬貨がなくなると、内部硬貨補充処理を終了する。この内部硬貨補充処理では、硬貨を予備収納庫５１から中間搬送路４６を含む出金搬送部５８に繰り出し出金搬送部５８で硬貨入金口２２に搬送し、更に硬貨入金口２２から、第１入金搬送路３１及び第２入金搬送路３２を含む入金搬送部４３に繰り出し入金搬送部４３で搬送して硬貨識別部３３で識別した後、スタッカ４１ａ〜４１ｆに搬送する。
【０１１５】
「硬貨精査処理」
硬貨精査処理時には、ＰＯＳレジ１１に、入力操作部１２を介して硬貨精査処理の操作入力が入力され、その際に、精査対象の金種が指定される。勿論、全金種の指定も可能である。硬貨精査処理の操作入力が入力されると、制御部１８は、その開始にあたって、予備収納庫５１が空の状態にあるか否かを判定する。
【０１１６】
予備収納庫５１が空の状態にあると、スタッカ４１ａ〜４１ｆのうち指定された今回精査対象の一つについての単一精査処理を行う。つまり、先ず、スタッカ４１ａ〜４１ｆのうち指定された今回精査対象の一つから、これが空になるまで、予備収納庫５１に硬貨を移動させる。すなわち、予備振分ゲート５２を開き、スタッカ４１ａ〜４１ｆのベルトコンベア７７を駆動し、スタッカ４１ａ〜４１ｆのうちの今回精査対象の一つから、繰出機構７９によって中間搬送路４６のベルトコンベア８１の中間搬送路構成部８２上に硬貨を繰り出させる。そして、ベルトコンベア８１で硬貨を予備振分ゲート５２に向けて搬送し、硬貨を、予備振分ゲート５２の位置で落下させ、予備収納庫シュータ５３を介して予備収納庫５１に収納させる。このようにして、今回精査対象の一つのスタッカから全ての硬貨を予備収納庫５１に移動させる。
【０１１７】
次に、制御部１８は、予備振分ゲート５２を閉じ、上記した内部硬貨補充処理と同様に、予備収納庫５１からベルトコンベア９６によって、硬貨を振分搬送部５６に繰り出させ、振分搬送部５６のベルトコンベア９８によって、中間搬送路４６に繰り出させる。そして、硬貨を、中間搬送路４６のベルトコンベア８１の中間搬送路構成部８２及び搬送ベルト８８で硬貨入金口２２に搬送し、硬貨入金口２２から、第１入金搬送路３１及び第２入金搬送路３２で搬送する。第２入金搬送路３２での搬送中に硬貨識別部３３で硬貨の金種を識別させ計数させる。この識別結果に基づき、硬貨を金種振分ゲート４２ａ〜４２ｆの対応するもので選別してスタッカ４１ａ〜４１ｆの対応する金種のものに収納する。硬貨は、基本的には今回精査対象の一つのスタッカに戻される。
【０１１８】
そして、制御部１８は、予備収納庫５１に収納されていた硬貨が全てスタッカ４１ａ〜４１ｆに収納されると、スタッカ４１ａ〜４１ｆのうち今回精査対象の一金種の硬貨についての硬貨識別部３３の計数結果を、スタッカ４１ａ〜４１ｆのうち今回精査対象の一金種のスタッカの収納量として、単一精査処理を終了する。
【０１１９】
スタッカ４１ａ〜４１ｆについて、指定された精査対象が複数ある場合（全指定を含む）、上記と同様の単一精査処理を順次行って、精査処理を終了する。つまり、精査処理は、硬貨を、スタッカ４１ａ〜４１ｆの対象の一つから、中間搬送路４６を含む出金搬送部５８に繰り出し、この出金搬送部５８で予備収納庫５１に搬送することにより、スタッカ４１ａ〜４１ｆの対象の一つから全ての硬貨を予備収納庫５１に移送した後、硬貨を予備収納庫５１から出金搬送部５８に繰り出し出金搬送部５８で硬貨入金口２２に搬送し、更に硬貨入金口２２から、第１入金搬送路３１及び第２入金搬送路３２を含む入金搬送部４３に繰り出し入金搬送部４３で搬送して硬貨識別部３３で識別した後、スタッカ４１ａ〜４１ｆの対象の一つに搬送する。
【０１２０】
他方、硬貨精査処理開始にあたって、予備収納庫５１が空の状態にない場合、制御部１８は、予備収納庫５１に収納されている硬貨の金種別の収納量と、各スタッカ４１ａ〜４１ｆの収納量とから、予備収納庫５１に収納されている全ての硬貨をスタッカ４１ａ〜４１ｆに上限収納量を超えずに収納可能であるか否かを判定する。
【０１２１】
上限収納量を超えずに収納可能である場合、予備収納庫５１に収納されている全ての硬貨をスタッカ４１ａ〜４１ｆに収納して予備収納庫５１を空にする全補充空化処理を行う。つまり、上記した内部硬貨補充処理と同様に、硬貨を、予備収納庫５１からベルトコンベア９６によって振分搬送部５６に繰り出させ、振分搬送部５６のベルトコンベア９８によって中間搬送路４６に繰り出させる。そして、硬貨を中間搬送路４６のベルトコンベア８１の中間搬送路構成部８２及び搬送ベルト８８で硬貨入金口２２に搬送し、更に、第１入金搬送路３１、第２入金搬送路３２で搬送しつつ硬貨識別部３３で金種を識別させる共に計数させる。この識別結果に基づき、硬貨を金種振分ゲート４２ａ〜４２ｆの対応するもので選別してスタッカ４１ａ〜４１ｆの対応する金種のものに収納する。
【０１２２】
予備収納庫５１から全ての硬貨が繰り出され、振分搬送部５６、中間搬送路４６、第１入金搬送路３１及び第２入金搬送路３２に硬貨がなくなると、全補充空化処理を終了し、上記と同様の単一精査処理を、スタッカ４１ａ〜４１ｆのうち指定された精査対象のスタッカについて行って、精査処理を終了する。
【０１２３】
予備収納庫５１を空にする際に、予備収納庫５１に収納されている全ての硬貨をスタッカ４１ａ〜４１ｆに上限収納量を超えずに収納可能でない場合、制御部１８は、予備収納庫５１に収納されている硬貨の一部をスタッカ４１ａ〜４１ｆに収納する一部補充空化処理、及び、予備収納庫５１に収納されている全ての硬貨を補助収納庫３の回収硬貨収納トレー１６６に収納させる全回収予備収納庫空化処理のいずれか選択された一方の処理を行う。この選択は、ＰＯＳレジ１１の入力操作部１２への入力で行われるが、いずれか一方をデフォルトとして設定しておいても良い。
【０１２４】
一部補充空化処理では、制御部１８が、上記した内部硬貨補充処理と同様に、硬貨を、予備収納庫５１からベルトコンベア９６によって振分搬送部５６に繰り出させ、振分搬送部５６のベルトコンベア９８によって中間搬送路４６に繰り出させる。そして、硬貨を中間搬送路４６のベルトコンベア８１の中間搬送路構成部８２及び搬送ベルト８８で硬貨入金口２２に搬送し、更に、第１入金搬送路３１、第２入金搬送路３２で搬送しつつ硬貨識別部３３で金種を識別させる共に計数させる。この識別結果に基づき、硬貨を金種振分ゲート４２ａ〜４２ｆの対応するもので選別してスタッカ４１ａ〜４１ｆの対応する金種のものに収納する。そして、スタッカ４１ａ〜４１ｆのいずれかにおいて、補充される硬貨によって収納量が適正上限量を超える場合、制御部１８は、スタッカ４１ａ〜４１ｆの適正上限量を超えるものから、繰出機構７９によって適正上限量を超える分の硬貨を計数しつつ中間搬送路４６に繰り出させて、入金処理後の収納量が適正上限量を超えないようにして全てのスタッカ４１ａ〜４１ｆの収納量を適正上限量以下に保つ。スタッカ４１ａ〜４１ｆの適正上限量を超えるものから繰り出された硬貨は、中間搬送路４６で予備収納庫５１から繰り出された硬貨と同様に搬送される。
【０１２５】
一部補充空化処理開始後、所定時間が経過すると、制御部１８は、予備振分ゲート５２を開くと共に、振分搬送部５６の搬送方向を繰出口５７に向けた方向とし、硬貨を、振分搬送部５６のベルトコンベア９８及び搬送ベルト１０１で繰出口５７に落下させて、補助収納庫３の回収硬貨収納トレー１６６に収納させる。そして、予備収納庫５１、振分搬送部５６、中間搬送路４６、第１入金搬送路３１、第２入金搬送路３２上に硬貨がなくなると、制御部１８は、一部補充空化処理を終了し、上記と同様の単一精査処理を、スタッカ４１ａ〜４１ｆのうち指定された精査対象のスタッカについて順次行って、精査処理を終了する。
【０１２６】
全回収空化処理では、制御部１８が、硬貨を、予備収納庫５１からベルトコンベア９６によって振分搬送部５６に繰り出させ、振分搬送部５６のベルトコンベア９８及び搬送ベルト１０１で繰出口５７に落下させて、補助収納庫３の回収硬貨収納トレー１６６に収納させる。予備収納庫５１及び振分搬送部５６上に硬貨がなくなると、制御部１８は、全回収空化処理を終了し、上記と同様の単一精査処理を、スタッカ４１ａ〜４１ｆのうち指定された精査対象のスタッカについて順次行って、精査処理を終了する。
【０１２７】
「投入硬貨補充処理」
ＰＯＳレジ１１の入力操作部１２に投入硬貨補充処理の実行が入力されると、制御部１８は、補助収納庫３の第２補助収納部１５７の第２ロック機構１６１によるロックを解除すると共に第２表示ランプ１５９を点滅させる。すると、第２補助収納部１５７の筐体部１５５から第２収納ドロア１５６の引き出しが可能になり、操作者は、第２収納ドロア１５６を引き出して、棒金収納部１７５を露出させて、補充に必要な金種の棒金を取り出し、棒金の包装を解いてバラ硬貨としバラ硬貨を硬貨入金口２２に投入する。第２収納ドロア１５６が筐体部１５５に押し込まれて閉状態になると、制御部１８は、硬貨入金口２２に投入された硬貨を上記した入金処理と同様にしてスタッカ４１ａ〜４１ｆに補充する投入硬貨補充処理を行う。つまり、硬貨入金口２２から繰り出された硬貨を、第１入金搬送路３１、第２入金搬送路３２で搬送しつつ硬貨識別部３３で識別させる。硬貨識別部３３の識別結果に基づき、受入不可硬貨を硬貨リジェクト口２４に放出する一方、受入可能硬貨を、金種振分ゲート４２ａ〜４２ｆの対応するもので選別してスタッカ４１ａ〜４１ｆの対応する金種のものに収納する。このときも、制御部１８は、投入硬貨補充処理で補充される硬貨によってスタッカ４１ａ〜４１ｆのいずれかの収納量が、所定の適正上限量を超える場合、適正上限量を超える分の硬貨を中間搬送路４６によって予備収納庫５１に収納して、全てのスタッカ４１ａ〜４１ｆの収納量を適正上限量以下に保つ。また、予備収納庫５１の収納量が、適正上限量を超える場合、予備収納庫５１の硬貨を振分搬送部５６によって補助収納庫３の回収硬貨収納トレー１６６に収納させて、予備収納庫５１の収納量を適正上限量に保つ。これにより、スタッカ４１ａ〜４１ｆの収納量から硬貨の補充量を厳密に検討しなくても済む。
【０１２８】
「出金口回収処理」
ＰＯＳレジ１１の入力操作部１２に出金口回収処理の実行が入力されると、制御部１８は、スタッカ４１ａ〜４１ｆ及び予備収納庫５１に収納されている硬貨を硬貨出金口２５に全て放出させる出金口回収処理を行う。スタッカ４１ａ〜４１ｆの硬貨については、出金処理と同様、出金口振分ゲート４７を開状態にして、スタッカ４１ａ〜４１ｆから繰り出して中間搬送路４６で搬送し、出金口振分ゲート４７から落下させて、出金搬送路４８の出金搬送路構成部８３及び搬送ベルト９３で硬貨出金口２５に放出させることになり、予備収納庫５１の硬貨については、予備収納庫５１から振分搬送部５６で中間搬送路４６に繰り出し、スタッカ４１ａ〜４１ｆからの硬貨と同様に硬貨出金口２５に放出させることになる。操作者は、硬貨出金口２５に放出された硬貨を回収する。
【０１２９】
「補助収納庫回収処理」
ＰＯＳレジ１１の入力操作部１２に補助収納庫回収処理の実行が入力されると、制御部１８は、補助収納庫３の第１収納ドロア１５２の第１ロック機構１６０がロック状態にあること、言い換えれば第１収納ドロア１５２が閉状態にあることを条件として、スタッカ４１ａ〜４１ｆ及び予備収納庫５１に収納されている硬貨を第１収納ドロア１５２の回収硬貨収納トレー１６６に収納する。つまり、制御部１８は、予備振分ゲート５２を開くと共に、予備収納庫５１及び振分搬送部５６の搬送方向を繰出口５７に向けた方向として、スタッカ４１ａ〜４１ｆの硬貨を中間搬送路４６から予備振分ゲート５２で予備収納庫５１に搬送する。これにより、スタッカ４１ａ〜４１ｆ及び予備収納庫５１の硬貨を補助収納庫３の回収硬貨収納トレー１６６に回収する。硬貨処理部５の硬貨が全て回収硬貨収納トレー１６６に搬送されると、制御部１８は、それまでロック状態にあった第１補助収納部１５３の第１ロック機構１６０のロックを解除し、第１収納ドロア１５２の第１表示ランプ１５８を点滅させる。操作者は、第１収納ドロア１５２を筐体部１５１から引き出し、露出した回収硬貨収納トレー１６６を第１収納ドロア１５２から取り外して硬貨を回収する。
【０１３０】
「紙幣補充処理」
ＰＯＳレジ１１の入力操作部１２に紙幣補充処理の実行が入力されると、制御部１８は、補助収納庫３の第２補助収納部１５７の第２ロック機構１６１によるロックを解除すると共に第２表示ランプ１５９を点滅させる。すると、第２補助収納部１５７の筐体部１５５から第２収納ドロア１５６の引き出しが可能になり、操作者は、第２収納ドロア１５６を引き出して、紙葉類収納部１６７を露出させ、紙葉類収納部１６７の蓋部１６９を外して、収納部本体１６８から補充に必要な金種の紙幣を取り出し、紙幣入金口２６に投入する。第２収納ドロア１５６が筐体部１５５に押し込まれて閉状態になると、制御部１８は、紙幣入金口２６に投入された紙幣を上記した入金処理と同様にして紙幣収納庫１２０〜１２３に補充する紙幣補充処理を行う。
【０１３１】
以上の実施形態の貨幣処理装置１によれば、金種別のスタッカ４１ａ〜４１ｆとは別に予備収納庫５１が設けられているため、スタッカ４１ａ〜４１ｆに収納しきれないオーバーフロー硬貨が発生しても、硬貨をスタッカ４１ａ〜４１ｆから繰り出して出金搬送部５８で搬送し予備収納庫５１に収納して、全てのスタッカ４１ａ〜４１ｆの収納量が過大になることを防ぐことができる。これにより、スタッカ４１ａ〜４１ｆの硬貨を適正量に保つために装置外に回収する頻度を減らすことができる。つまり、装置外に硬貨を回収することなくスタッカ４１ａ〜４１ｆが適正な状態で作動できる時間を長くできる。したがって、処理効率を向上可能となる。
【０１３２】
また、金種別のスタッカ４１ａ〜４１ｆとは別に予備収納庫５１が設けられているため、貨幣処理装置１内に金種別のスタッカ４１ａ〜４１ｆの収納容量よりも多い硬貨を収納することができる。そして、予備収納庫５１に収納されている硬貨を、予備収納庫５１から繰り出して出金搬送部５８、硬貨入金口２２及び入金搬送部４３で搬送し、硬貨識別部３３で識別してスタッカ４１ａ〜４１ｆに収納することができるため、硬貨を装置外から補充することなく装置内でスタッカ４１ａ〜４１ｆに補充することができる。よって、装置外から硬貨を補充することなくスタッカ４１ａ〜４１ｆが適正な状態で作動できる時間を長くできる。したがって、処理効率を向上可能となる。
【０１３３】
また、予備収納庫５１は、スタッカ４１ａ〜４１ｆから繰り出された硬貨を硬貨出金口２５及び硬貨入金口２２に選択的に搬送する出金搬送部５８の中間搬送路４６の硬貨を収納可能であると共に、この出金搬送部５８の中間搬送路４６に硬貨を繰り出し可能であるため、予備収納庫５１を設けても構成を簡素化できる。したがって、コスト増を抑制することができる。
【０１３４】
また、精査処理時には、硬貨をスタッカ４１ａ〜４１ｆのうちの対象の一つから出金搬送部５８の中間搬送路４６に繰り出し中間搬送路４６で予備収納庫５１に搬送することにより、この対象のスタッカから全ての硬貨を予備収納庫５１に移送した後、硬貨を予備収納庫５１から出金搬送部５８の中間搬送路４６に繰り出し中間搬送路４６で硬貨入金口２２に搬送し、更に硬貨入金口２２から入金搬送部４３の第１入金搬送路３１に繰り出し第１入金搬送路３１及び第２入金搬送路３２で搬送して硬貨識別部３３で識別した後、対象のスタッカに搬送することになる。これにより、対象のスタッカの硬貨を全て一旦出金口に繰り出し操作者による手作業で入金口に投入させて対象のスタッカに戻すといった、手間と時間が掛かる作業が不要となり、人の手を介さずに装置内で自動的に自己精査することができる。したがって、処理効率を向上可能となる。
【０１３５】
また、補充処理時には、硬貨を予備収納庫５１から出金搬送部５８の中間搬送路４６に繰り出し中間搬送路４６で硬貨入金口２２に搬送し、更に硬貨入金口２２から入金搬送部４３の第１入金搬送路３１に繰り出し第１入金搬送路３１及び第２入金搬送路３２で搬送して硬貨識別部３３で識別した後、スタッカ４１ａ〜４１ｆに搬送することになって、予備収納庫５１に収納している硬貨をスタッカ４１ａ〜４１ｆに補充することができる。よって、予め予備収納庫５１に硬貨を収納しておくことで、装置外から硬貨を補充しなくても、貨幣処理装置１内でスタッカ４１ａ〜４１ｆへの硬貨の補充が可能となり、スタッカ４１ａ〜４１ｆが適正な状態で作動できる時間を長くできる。したがって、処理効率を向上可能となる。
【０１３６】
また、振分搬送部５６が、予備収納庫５１から繰り出された硬貨を、出金搬送部５８及び補助収納庫３に選択的に搬送するため、補助収納庫３に搬送すれば、補助収納庫３に回収することができる。よって、予備収納庫５１の硬貨を、貨幣処理装置１内で補助収納庫３に回収することができるため、予備収納庫５１の収納量を適正量に保つために硬貨を貨幣処理装置１外に回収する頻度を減らすことができる。したがって、処理効率を更に向上可能となる。
【０１３７】
本実施形態の貨幣処理装置１によれば、硬貨処理部５の下方に配置された第１収納ドロア１５２の回収硬貨収納トレー１６６に、第１収納ドロア１５２が筐体部１５１に押し込まれた状態で硬貨処理部５から繰り出される硬貨を収納する。また、紙幣処理部６の下方に配置された第２収納ドロア１５６の棒金収納部１７５に棒金を収納する。よって、回収硬貨収納トレー１６６へのアクセスのため第１収納ドロア１５２が筐体部１５１から引き出されても、第２収納ドロア１５６の棒金収納部１７５が外部に露出することがなく、逆に、棒金収納部１７５へのアクセスのため第２収納ドロア１５６が筐体部１５５から引き出されても、第１収納ドロア１５２の回収硬貨収納トレー１６６が外部に露出することがない。したがって、回収硬貨と棒金とを収納可能でありながら、これらの管理の安全性を高めることが可能となる。また、硬貨処理部５の下方に配置された第１収納ドロア１５２に回収硬貨収納トレー１６６を設けたため、第１収納ドロア１５２が筐体部１５１に押し込まれた状態での硬貨処理部５から回収硬貨収納トレー１６６への硬貨の搬送が容易となる。
【０１３８】
また、紙葉類収納部１６７が第２収納ドロア１５６に設けられているため、回収硬貨収納トレー１６６へのアクセスのため第１収納ドロア１５２が筐体部１５１から引き出されても、第２収納ドロア１５６の紙葉類収納部１６７及び棒金収納部１７５が外部に露出することがなく、逆に、紙葉類収納部１６７又は棒金収納部１７５へのアクセスのため第２収納ドロア１５６が筐体部１５５から引き出されても、第１収納ドロア１５２の回収硬貨収納トレー１６６が外部に露出することがない。したがって、紙葉類と回収硬貨と棒金とを収納可能でありながら、これらの管理の安全性を高めることが可能となる。ここで、紙葉類収納部１６７を第１収納ドロア１５２に設けることも可能である。この場合、紙葉類収納部１６７又は回収硬貨収納トレー１６６へのアクセスのため第１収納ドロア１５２が筐体部１５１から引き出されても、第２収納ドロア１５６の棒金収納部１７５が外部に露出することがなく、逆に、棒金収納部１７５へのアクセスのため第２収納ドロア１５６が筐体部１５５から引き出されても、第１収納ドロア１５２の紙葉類収納部１６７及び回収硬貨収納トレー１６６が外部に露出することがない。この場合も、紙葉類と回収硬貨と棒金とを収納可能でありながら、これらの管理の安全性を高めることが可能となる。
【０１３９】
また、紙葉類収納部１６７は、第２収納ドロア１５６に固定されているため、紙葉類収納部１６７が固定先の第２収納ドロア１５６から取り外されてしまうことを防止できる。したがって、紙葉類を一層安全に管理することが可能となる。ここで、紙葉類収納部１６７を第１収納ドロア１５２に設ける場合、紙葉類収納部１６７を第１収納ドロア１５２に固定すれば、紙葉類収納部１６７が固定先の第１収納ドロア１５２から取り外されてしまうことを防止できる。この場合も、紙葉類を一層安全に管理することが可能となる。
【０１４０】
また、バラ硬貨収納部１７１が第２収納ドロア１５６に設けられているため、回収硬貨収納トレー１６６へのアクセスのため第１収納ドロア１５２が筐体部１５１から引き出されても、第２収納ドロア１５６のバラ硬貨収納部１７１及び棒金収納部１７５が外部に露出することがなく、逆に、バラ硬貨収納部１７１又は棒金収納部１７５へのアクセスのため第２収納ドロア１５６が筐体部１５５から引き出されても、第１収納ドロア１５２の回収硬貨収納トレー１６６が外部に露出することがない。したがって、バラ硬貨と回収硬貨と棒金とを収納可能でありながら、これらの管理の安全性を高めることが可能となる。ここで、バラ硬貨収納部１７１を第１収納ドロア１５２に設けることも可能である。この場合、バラ硬貨収納部１７１又は回収硬貨収納トレー１６６へのアクセスのため第１収納ドロア１５２が筐体部１５１から引き出されても、第２収納ドロア１５６の棒金収納部１７５が外部に露出することがなく、逆に、棒金収納部１７５へのアクセスのため第２収納ドロア１５６が筐体部１５５から引き出されても、第１収納ドロア１５２のバラ硬貨収納部１７１及び回収硬貨収納トレー１６６が外部に露出することがない。この場合も、バラ硬貨と回収硬貨と棒金とを収納可能でありながら、これらの管理の安全性を高めることが可能となる。
【０１４１】
また、貨幣以外収納部１７２が第２収納ドロア１５６に設けられているため、回収硬貨収納トレー１６６へのアクセスのため第１収納ドロア１５２が筐体部１５１から引き出されても、第２収納ドロア１５６の貨幣以外収納部１７２及び棒金収納部１７５が外部に露出することがなく、逆に、貨幣以外収納部１７２又は棒金収納部１７５へのアクセスのため第２収納ドロア１５６が筐体部１５５から引き出されても、第１収納ドロア１５２の回収硬貨収納トレー１６６が外部に露出することがない。したがって、貨幣以外の収納物と回収硬貨と棒金とを収納可能でありながら、これらの管理の安全性を高めることが可能となる。ここで、貨幣以外収納部１７２を第１収納ドロア１５２に設けることも可能である。この場合、貨幣以外収納部１７２又は回収硬貨収納トレー１６６へのアクセスのため第１収納ドロア１５２が筐体部１５１から引き出されても、第２収納ドロア１５６の棒金収納部１７５が外部に露出することがなく、逆に、棒金収納部１７５へのアクセスのため第２収納ドロア１５６が筐体部１５５から引き出されても、第１収納ドロア１５２の貨幣以外収納部１７２及び回収硬貨収納トレー１６６が外部に露出することがない。この場合も、貨幣以外の収納物と回収硬貨と棒金とを収納可能でありながら、これらの管理の安全性を高めることが可能となる。
【０１４２】
また、回収硬貨収納トレー１６６は、第１収納ドロア１５２に着脱可能に設けられているため、硬貨処理部５から繰り出され回収硬貨収納トレー１６６に収納された硬貨を纏めて容易に取り出すことができる。
【０１４３】
ここで、補助収納庫３の第１収納ドロア１５２及び第２収納ドロア１５６への収納物の設定は種々の変更が可能である。
【０１４４】
上記補助収納庫３の第２収納ドロア１５６では、バラ硬貨収納部１７１及び貨幣以外収納部１７２が左右方向（幅方向）に並設されているが、バラ硬貨収納部１７１及び貨幣以外収納部１７２を前後方向に並べても良い。例えば、前から紙葉類収納部１６７、バラ硬貨収納部１７１、貨幣以外収納部１７２及び棒金収納部１７５の順に配置すること等が可能である。
【０１４５】
また、上記補助収納庫３の第２収納ドロア１５６では、紙葉類収納部１６７が最も前側に、左右に並設されたバラ硬貨収納部１７１及び貨幣以外収納部１７２が前から二番目に、棒金収納部１７５が最も後側に、それぞれ設けられているが、その他の配置順であっても良い。例えば、紙葉類収納部１６７が最も前側に、棒金収納部１７５が前から二番目に、左右に並設されたバラ硬貨収納部１７１及び貨幣以外収納部１７２が最も後側に、それぞれ設けられていても良い。
【０１４６】
また、上記補助収納庫３の第２収納ドロア１５６では、バラ硬貨収納部１７１が最も前側に設けられている場合、第２収納ドロア１５６の前面に、バラ硬貨をバラ硬貨収納部１７１内に挿入するためのスリットを設けても良い。これにより、第２収納ドロア１５６が筐体部１５５に押し込まれた閉状態にあってもバラ硬貨収納部１７１内にバラ硬貨を収納可能となる。更に、上記補助収納庫３の第２収納ドロア１５６では、貨幣以外収納部１７２が最も前側に設けられている場合、第２収納ドロア１５６の前面に、貨幣以外の収納物を貨幣以外収納部１７２内に挿入するためのスリットを設けても良い。これにより、第２収納ドロア１５６が筐体部１５５に押し込まれた閉状態にあっても貨幣以外収納部１７２内に貨幣以外の収納物を収納可能となる。
【０１４７】
上記補助収納庫３では、紙葉類収納部１６７、バラ硬貨収納部１７１、貨幣以外収納部１７２及び棒金収納部１７５が第２収納ドロア１５６に固定されているが、第２収納ドロア１５６に対して着脱可能であっても良い。
【０１４８】
上記補助収納庫３では、筐体部１５１に第１収納ドロア１５２が引き出し可能に設けられ、筐体部１５５に第２収納ドロア１５６が引き出し可能に設けられているが、一つの筐体部に、第１収納ドロア１５２及び第２収納ドロア１５６の両方を個別に引き出し可能に設けても良い。
【０１４９】
上記補助収納庫３において、第２収納ドロア１５６に固定された紙葉類収納部１６７に対して着脱可能の紙葉類収納部を二段重ねで設けても良い。この場合、第２収納ドロア１５６に固定された紙葉類収納部１６７に対して着脱可能の蓋部１６９は設けずに、この蓋部１６９の代わりに紙葉類収納部を着脱可能に設け、更にこの着脱可能の紙葉類収納部の上側に、この紙葉類収納部を覆う、この紙葉類収納部に対して着脱可能の蓋部を設けると良い。
【０１５０】
第１収納ドロア１５２及び第２収納ドロア１５６は、それぞれが、硬貨処理部５から繰り出される硬貨を収納する回収硬貨収納トレー１６６、棒金を収納する棒金収納部１７５、紙葉類を収納する紙葉類収納部１６７、バラ硬貨を収納するバラ硬貨収納部１７１、及び、貨幣以外の収納物を収納する貨幣以外収納部１７２のうちの少なくともいずれか一つを有していれば良い。例えば、第１収納ドロア１５２に回収硬貨収納トレー１６６のみを設け、第２収納ドロア１５６に棒金収納部１７５のみを設けること等が可能である。これにより、複数の収納物が収納可能でありながら、これらの管理の安全性を高めることが可能となる。
【０１５１】
また、第１収納ドロア１５２に紙葉類収納部１６７が設けられる場合、第１収納ドロア１５２の前面に紙葉類を紙葉類収納部１６７内に挿入するためのスリットを設けても良い。更に、第１収納ドロア１５２にバラ硬貨収納部１７１が設けられる場合、第１収納ドロア１５２の前面にバラ硬貨をバラ硬貨収納部１７１内に挿入するためのスリットを設けても良い。更に、第１収納ドロア１５２に貨幣以外収納部１７２が設けられる場合、第１収納ドロア１５２の前面に貨幣以外の収納物を貨幣以外収納部１７２内に挿入するためのスリットを設けても良い。
【０１５２】
なお、本体部２は上記構成に限定されるものではなく、例えば、硬貨処理部５が予備収納庫５１を備えず、スタッカ４１ａ〜４１ｆから出金搬送部５８に繰り出された硬貨を、出金搬送部５８から繰出口５７に直接搬送するようにしても良い。つまり、上記した予備収納庫シュータ５３で予備振分ゲート５２と繰出口５７とを直接結び、予備振分ゲート５２を開状態とすることで予備振分ゲート５２の位置から落下した硬貨をそのまま繰出口５７に案内することができる。これ以外にも、硬貨を繰出口に繰り出せるものであれば、硬貨処理部として従来公知の他のいずれのものを採用することも可能である。
【符号の説明】
【０１５３】
１  貨幣処理装置、５  硬貨処理部、６  紙幣処理部、２  本体部、１５１  筐体部、１５２  第１収納ドロア、１５５  筐体部、１５６  第２収納ドロア、１６６  回収硬貨収納トレー（回収硬貨収納部）、１７５  棒金収納部、１６７  紙葉類収納部、１７１  バラ硬貨収納部、１７２  貨幣以外収納部
【図１】
0006650272.tif 000002
【図２】
0006650272.tif 000003
【図３】
0006650272.tif 000004
【図４】
0006650272.tif 000005
【図５】
0006650272.tif 000006
【図６】
0006650272.tif 000007
【図７】
0006650272.tif 000008
【図８】
0006650272.tif 000009
【図９】
0006650272.tif 000010
【図１０】
0006650272.tif 000011